(57)【要約】【課題】二股形状のティースに対して内側に集中巻線で、外側に分布巻線を施した電機子の巻線の巻回作業を、ダブルフライヤー巻線機を使用して短縮することのできる電機子、電機子の巻線巻回方法及び直流モータを提供する。【解決手段】ティースＴは、内側巻回部Ｔｃと、該内側巻回部Ｔｃの先端から二股状に分岐して径方向に延びる第１分岐部Ｔａ及び第２分岐部Ｔｂを有し、内側巻回部Ｔｃに１２個の集中巻線が巻回され、隣り合うティースの一方のティースの第１分岐部Ｔａと他方のティースの第２分岐部Ｔｂとの間に１２個の分布巻線が巻回されている。１２個の集中巻線は、１８０°対向する位置の集中巻線同士が同方向に巻回され、かつ、３個１組の各巻線組の集中巻線が１２０°間隔に配置されている。１２個の分布巻線は、１８０°対向する位置の分布巻線同士が同方向に巻回され、かつ、３個１組の各巻線組の分布巻線が１２０°間隔に配置されている。【選択図】図１
2015042034.tif 000002
【特許請求の範囲】
【請求項１】
周方向に並設された１２個のティースを有した電機子コアと、前記ティースに巻回された複数の電機子巻線と、周方向に並設された２４個のセグメントを有し前記電機子コアと一体回転可能に設けられた整流子とを備え、
前記各ティースは、基端側で径方向に延びる内側巻回部と、該内側巻回部の先端から周方向に二股状に分岐して径方向に延びる第１分岐部及び第２分岐部とを２４個有し、
前記複数の電機子巻線は、ティースの内側巻回部にそれぞれ巻回された１２個の集中巻線と、隣り合うティースの一方のティースの第１分岐部と他方のティースの第２分岐部との間においてにそれぞれ巻回された１２個の分布巻線と
からなる電機子であって、
１２個の集中巻線は、１８０°対向する位置の集中巻線同士が、それぞれ同方向に巻回され、かつ、３個１組としたときの各巻線組の集中巻線が１２０°間隔に配置され、
１２個の分布巻線は、１８０°対向する位置の分布巻線同士が、それぞれ同方向に巻回され、かつ、３個１組としたときの各巻線組の分布巻線が１２０°間隔に配置されていることを特徴とする電機子。
【請求項２】
請求項１に記載の電機子において、
３個１組としたときの各巻線組の１２０°間隔に配置された３個の集中巻線は、逆巻きの集中巻線を挟んで両側に順巻きに集中巻線が配置され、
３個１組としたときの各巻線組の１２０°間隔に配置された３個の分布巻線は、逆巻きの分布巻線を挟んで両側に順巻きに分布巻線が配置されることを特徴とする電機子。
【請求項３】
請求項１又は２に記載の電機子において、
１２個の集中巻線を巻回する各内側巻回部間に形成された各スロットの底部は、回転軸の中心軸からの距離を、少なくとも順巻きの集中巻線と、その集中巻線と結線するセグメントのライザとを結ぶ渡り線が、前記整流子の外径より径方向外側に位置する長さにしたことを特徴とする電機子。
【請求項４】
周方向に並設された１２個のティースを有した電機子コアと、前記ティースに巻回された複数の電機子巻線と、周方向に並設された２４個のセグメントを有し前記電機子コアと一体回転可能に設けられた整流子とを備え、
前記各ティースは、基端側で径方向に延びる内側巻回部と、該内側巻回部の先端から周方向に二股状に分岐して径方向に延びる第１分岐部及び第２分岐部とを２４個有し、
前記複数の電機子巻線は、ティースの内側巻回部にそれぞれ巻回された１２個の集中巻線と、隣り合うティースの一方のティースの第１分岐部と他方のティースの第２分岐部との間においてにそれぞれ巻回された１２個の分布巻線と
からなる電機子の巻線巻回方法であって、
１２個の集中巻線及び分布巻線は、１８０°相対向するように相対配置された２つの巻線機にて、１２個の集中巻線が巻回され後、１２個の分布巻線が巻回され、
１２個の集中巻線は、前記２つの巻線機が６個ずつ分担して巻回されるとともに、それぞれ６個の集中巻線を巻回するとき、最初の３個について互いに１２０°離間した位置にそれぞれ集中巻線を巻回した後に、残り３個について互いに１２０°離間した位置に集中巻線を巻回し、
１２個の分布巻線は、前記２つの巻線機が６個ずつ分担して巻回するとともに、それぞれ６個の分布巻線を巻回するとき、最初の３個について互いに１２０°離間した位置にそれぞれ分布巻線を巻回した後に、残り３個について互いに１２０°離間した位置に分布巻線を巻回するようにしたことを特徴とする電機子の巻線巻回方法。
【請求項５】
請求項４に記載の電機子の巻線巻回方法において、
それぞれ６個の集中巻線を巻回するとき、最初の３個及び残りの３個は、それら巻線位置に同一方向から導線が引き回されて巻回されるとともに、最初の３個及び残りの３個は、順巻き、逆巻き、順巻きの順で巻回され、
それぞれ６個の分布巻線を巻回するとき、最初の３個及び残りの３個は、それら巻線位置に同一方向から導線が引き回されて巻回されるとともに、最初の３個及び残りの３個は、順巻き、逆巻き、順巻きの順で巻回されることを特徴とする電機子の巻線巻回方法。
【請求項６】
請求項１〜３のいずれか１つに記載の電機子を備えたことを特徴とする直流モータ。
【発明の詳細な説明】
【技術分野】
【０００１】
本発明は、電機子、電機子の巻線巻回方法及び直流モータに関するものである。
【背景技術】
【０００２】
直流モータの電機子において、電機子コアに対して周方向に並設された各ティースが、二股状に分岐形成され一対の分岐部を有したものがある（特許文献１）。この電機子に巻回される巻線は、電機子コアの中心側を各ティースの基端部位に集中巻きで巻線を施し、電機子コアの外側を二股状に形成した一対の分岐部を利用して隣接するティースの分岐部間を分布巻きにて巻線を施している。これによって、コギングの少ない直流モータを実現させている。
【先行技術文献】
【特許文献】
【０００３】
【特許文献１】特開２０１０−９８９２７号公報
【発明の概要】
【発明が解決しようとする課題】
【０００４】
ところで、上記構成の電機子において、巻線数が多く複雑であることから、巻回作業に要する時間の短縮化が望まれている。そこで、ダブルフライヤー方式の巻線機にて巻回作業時間の短縮を図ることが考えられる。
【０００５】
しかしながら、６極以上の直流モータに用いられる電機子であって、先に内側の集中巻きを施し、後で外側の分布巻き施す上記電機子の巻線の巻回方法は開示されていない。
本発明は上記問題点を解消するためになされたものであって、その目的は、二股形状のティースに対して内側に集中巻線で、外側に分布巻線を施した電機子の巻線を、ダブルフライヤー巻線機を使用して作業時間の短縮を図ることのできる電機子、電機子の巻線巻回方法及び直流モータを提供することにある。
【課題を解決するための手段】
【０００６】
上記課題を解決するために電機子は、周方向に並設された１２個のティースを有した電機子コアと、前記ティースに巻回された複数の電機子巻線と、周方向に並設された２４個のセグメントを有し前記電機子コアと一体回転可能に設けられた整流子とを備え、前記各ティースは、基端側で径方向に延びる内側巻回部と、該内側巻回部の先端から周方向に二股状に分岐して径方向に延びる第１分岐部及び第２分岐部とを２４個有し、前記複数の電機子巻線は、ティースの内側巻回部にそれぞれ巻回された１２個の集中巻線と、隣り合うティースの一方のティースの第１分岐部と他方のティースの第２分岐部との間においてにそれぞれ巻回された１２個の分布巻線とからなる電機子であって、１２個の集中巻線は、１８０°対向する位置の集中巻線同士が、それぞれ同方向に巻回され、かつ、３個１組としたときの各巻線組の集中巻線が１２０°間隔に配置され、１２個の分布巻線は、１８０°対向する位置の分布巻線同士が、それぞれ同方向に巻回され、かつ、３個１組としたときの各巻線組の分布巻線が１２０°間隔に配置されている。
【０００７】
上記電機子によれば、ダブルフライヤー巻線機にて、二股形状のティースに対して内側に集中巻線を、外側に分布巻線を巻回することができ巻回作業の短縮化を可能にすることができる。
【０００８】
上記電機子において、３個１組としたときの各巻線組の１２０°間隔に配置された３個の集中巻線は、逆巻きの集中巻線を挟んで両側に順巻きに集中巻線が配置され、３個１組としたときの各巻線組の１２０°間隔に配置された３個の分布巻線は、逆巻きの分布巻線を挟んで両側に順巻きに分布巻線が配置される。
【０００９】
上記電機子によれば、ダブルフライヤー巻線機にて、巻回作業の短縮化を可能にすることができる。
上記電機子において、１２個の集中巻線を巻回する各内側巻回部間に形成された各スロットの底部は、回転軸の中心軸からの距離を、少なくとも順巻きの集中巻線と、その集中巻線と結線するセグメントのライザとを結ぶ渡り線が、前記整流子の外径より径方向外側に位置する長さにした。
【００１０】
上記電機子によれば、整流子と電機子コア間に形成される空間に介在する渡り線の本数を減らすことができ電機子の軸方向の長さを短くできる。
上記課題を解決するために電機子の巻線巻回方法は、周方向に並設された１２個のティースを有した電機子コアと、前記ティースに巻回された複数の電機子巻線と、周方向に並設された２４個のセグメントを有し前記電機子コアと一体回転可能に設けられた整流子とを備え、前記各ティースは、基端側で径方向に延びる内側巻回部と、該内側巻回部の先端から周方向に二股状に分岐して径方向に延びる第１分岐部及び第２分岐部とを２４個有し、前記複数の電機子巻線は、ティースの内側巻回部にそれぞれ巻回された１２個の集中巻線と、隣り合うティースの一方のティースの第１分岐部と他方のティースの第２分岐部との間においてにそれぞれ巻回された１２個の分布巻線とからなる電機子の巻線巻回方法であって、１２個の集中巻線及び分布巻線は、１８０°相対向するように相対配置された２つの巻線機にて、１２個の集中巻線が巻回され後、１２個の分布巻線が巻回され、１２個の集中巻線は、前記２つの巻線機が６個ずつ分担して巻回されるとともに、それぞれ６個の集中巻線を巻回するとき、最初の３個について互いに１２０°離間した位置にそれぞれ集中巻線を巻回した後に、残り３個について互いに１２０°離間した位置に集中巻線を巻回し、１２個の分布巻線は、前記２つの巻線機が６個ずつ分担して巻回するとともに、それぞれ６個の分布巻線を巻回するとき、最初の３個について互いに１２０°離間した位置にそれぞれ分布巻線を巻回した後に、残り３個について互いに１２０°離間した位置に分布巻線を巻回するようにした。
【００１１】
上記電機子の巻線巻回方法によれば、ダブルフライヤー巻線機が複雑な動きをすることなく単調な動きを繰り返して、二股形状のティースに対して内側に集中巻線で、外側に分布巻線を巻回することができる。
【００１２】
上記電機子の巻線巻回方法において、それぞれ６個の集中巻線を巻回するとき、最初の３個及び残りの３個は、それら巻線位置に同一方向から導線が引き回されて巻回されるとともに、最初の３個及び残りの３個は、順巻き、逆巻き、順巻きの順で巻回され、それぞれ６個の分布巻線を巻回するとき、最初の３個及び残りの３個は、それら巻線位置に同一方向から導線が引き回されて巻回されるとともに、最初の３個及び残りの３個は、順巻き、逆巻き、順巻きの順で巻回される。
【００１３】
上記電機子の巻線巻回方法によれば、ダブルフライヤー巻線機が単調な動きを繰り返して、二股形状のティースに対して内側に集中巻線で、外側に分布巻線を巻回することができる。
【００１４】
上記課題を解決するために直流モータは、上記の電機子を備えた直流モータである。
上記直流モータによれば、直流モータの電機子は、ブルフライヤー巻線機にて、二股形状のティースに対して内側に集中巻線を、外側に分布巻線を巻回することができ巻回作業の短縮化を可能にすることができる。
【発明の効果】
【００１５】
本発明によれば、電機子も巻線をダブルフライヤー巻線機を使用して作業時間の短縮を図ることができる。
【図面の簡単な説明】
【００１６】
【図１】第１実施形態の直流モータの軸方向から見た断面図。
【図２】同じく、電機子コアの軸方向から見た正面図。
【図３】（ａ）（ｂ）は電機子巻線の巻回順序を示す説明図。
【図４】同じく、（ａ）（ｂ）は電機子巻線の巻回順序を示す説明図。
【図５】同じく、（ａ）（ｂ）は電機子巻線の巻回順序を示す説明図。
【図６】同じく、（ａ）（ｂ）は電機子巻線の巻回順序を示す説明図。
【図７】同じく、（ａ）（ｂ）は電機子巻線の巻回順序を示す説明図。
【図８】同じく、（ａ）（ｂ）は電機子巻線の巻回順序を示す説明図。
【図９】同じく、（ａ）（ｂ）は電機子巻線の巻回順序を示す説明図。
【図１０】同じく、（ａ）（ｂ）は電機子巻線の巻回順序を示す説明図。
【図１１】第２実施形態の電機子巻線の巻回方法を示し、（ａ）（ｂ）は電機子巻線の巻回順序を示す説明図。
【図１２】同じく、（ａ）（ｂ）は電機子巻線の巻回順序を示す説明図。
【図１３】同じく、（ａ）（ｂ）は電機子巻線の巻回順序を示す説明図。
【図１４】同じく、（ａ）（ｂ）は電機子巻線の巻回順序を示す説明図。
【図１５】同じく、（ａ）（ｂ）は電機子巻線の巻回順序を示す説明図。
【図１６】同じく、（ａ）（ｂ）は電機子巻線の巻回順序を示す説明図。
【図１７】同じく、（ａ）（ｂ）は電機子巻線の巻回順序を示す説明図。
【図１８】同じく、（ａ）（ｂ）は電機子巻線の巻回順序を示す説明図。
【図１９】電機子の別例を示す電機子の巻線の巻回図。
【図２０】電機子の別例を示す電機子の巻線の巻回図。
【図２１】電機子の別例を示す電電機子コアの軸方向から見た正面図。
【発明を実施するための形態】
【００１７】
（第１実施形態）
以下、本発明を具体化した第１実施形態を図１〜図１０に従って説明する。
図１に示すように、直流モータ１は、固定子２と、該固定子２の内側に配置された電機子３とを備えている。
【００１８】
（固定子２）
固定子２を構成する略円筒状のヨークハウジング２ａの内周面には、磁極としての３個の第１永久磁石ＭＧ１と３個の第２永久磁石ＭＧ２が、周方向に交互に等ピッチ（本実施形態では６０°間隔）となるように固着されている。
【００１９】
３個の第１永久磁石ＭＧ１は、径方向に磁化されていて、径方向内側がＮ極、径方向外側がＳ極となるように磁化されている。一方、３個の第２永久磁石ＭＧ２は、径方向に磁化されていて、径方向内側がＳ極、径方向外側がＮ極となるように磁化されている。
【００２０】
従って、固定子２には、径方向内側がＮ極の３個の第１永久磁石ＭＧ１は、径方向内側がＳ極の第２永久磁石ＭＧ２を挟んで１２０°間隔でそれぞれ配置されている。換言すれば、径方向内側がＳ極の３個の第２永久磁石ＭＧ２は、径方向内側がＮ極の第１永久磁石ＭＧ１を挟んで１２０°のピッチでそれぞれ配置されている。そして、直流モータ１は、３個の第１永久磁石ＭＧ１と３個の第２永久磁石ＭＧ２を周方向に交互に配置することにより磁極の数が「６」となっている。つまり、極数対が「３」になっている。
【００２１】
（電機子３）
図１に示すように、電機子３は、回転軸４と、該回転軸４に固定された略円筒状の整流子５と、同じく回転軸４に固定された電機子コア６とを備えている。この電機子３は、回転軸４が固定子２によって軸支されることにより、固定子２に対して回転可能に支持されている。そして、整流子５及び電機子コア６は、共に回転軸４に固定されることにより、回転軸４の回転に伴って一体回転される。
【００２２】
図１に示すように、整流子５は、回転軸４に固着された絶縁性樹脂材料よりなる円筒状の保持部材５ａを有し、その保持部材５ａの外周面周方向に２４個のセグメントＳが時計回り方向に順番に互いに離間した状態で配置されている。
【００２３】
ここで、図２に示すように、２４個のセグメントＳをそれぞれ特定するために、以後、第１〜第２４セグメントＳ１〜Ｓ２４という。そして、図２に示すように、第１〜第２４セグメントＳ１〜Ｓ２４は、保持部材５ａの外周面を時計回り方向に順番に互いに離間した状態で配置されている。従って、２４個の第１〜第２４セグメントＳ１〜Ｓ２４は、周方向に等ピッチ（１５°間隔）となるように配置されている。
【００２４】
図１に２点鎖線で示すように、整流子５の外周には、陽極側ブラシＢ１及び陰極側ブラシＢ２が第１〜第２４セグメントＳ１〜Ｓ２４に摺接可能に配置されている。陽極側ブラシＢ１と陰極側ブラシＢ２は、周方向に１８０°相対向する位置配置されていて、陽極側ブラシＢ１は、第１永久磁石ＭＧ１の周方向中心位置と対応する位置に配置されているとともに、陰極側ブラシＢ２は、第２永久磁石ＭＧ２の周方向中心位置と対応する位置に配置されている。そして、電機子３には、これら陽極側ブラシＢ１及び陰極側ブラシＢ２を介して電流が供給される。
【００２５】
図１に示すように、電機子コア６は、円筒状のコアバック７と、該コアバック７の外周面から径方向外側に向かって延びる１２本のティースＴとが一体に形成されてなるとともに、コアバック７が回転軸４に外嵌されることにより同回転軸４に対して固定されている。ちなみに、第１〜第２４セグメントＳ１〜Ｓ２４の数は、１２本のティースＴの数の２倍となるように設定されている。
【００２６】
図１に示すように、各ティースＴの先端部には、周方向の時計回り方向に分岐し径方向外側に延出形成された第１分岐部Ｔａと、周方向の反時計回り方向に分岐し径方向外側に延出形成された第２分岐部Ｔｂとが設けられている。そして、各ティースＴにそれぞれ二股状の一対の第１及び第２分岐部Ｔａ，Ｔｂを形成することによって、電機子コア６には、２４個のスロットＳＬが形成される。なお、各ティースＴにおいて、それぞれ一対の第１及び第２分岐部Ｔａ，Ｔｂよりも径方向内側となる基端部側の部位を、内側巻回部Ｔｃとしている。
【００２７】
ここで、図２に示すように、１２本のティースＴをそれぞれ特定するために、以後、第１〜第１２ティースＴ１〜Ｔ１２という。また、第１〜第１２ティースＴ１〜Ｔ１２の第１及び第２分岐部Ｔａ，Ｔｂを、第１及び第２分岐部Ｔ１ａ，Ｔ１ｂ〜Ｔ１２ａ，Ｔ１２ｂという。さらに、第１〜第１２ティースＴ１〜Ｔ１２の内側巻回部Ｔｃを、内側巻回部Ｔ１ｃ〜Ｔ１２ｃという。
【００２８】
そして、図２に示すように、１２本の第１〜第１２ティースＴ１〜Ｔ１２は、コアバック７に対し周方向に等ピッチ（３０°間隔）となる位置において、時計回り方向に順番に形成されている。このとき、第１〜第１２ティースＴ１〜Ｔ１２は、第１〜第２４セグメントＳ１〜Ｓ２４のうち、それぞれ２個が径方向において相対向するように相対配置されている。
【００２９】
詳述すると、図２に示すように、第１ティースＴ１は、第１及び第２セグメントＳ１，Ｓ２がそれぞれ対峙する。第２ティースＴ２は、第３及び第４セグメントＳ３，Ｓ４がそれぞれ対峙する。第３ティースＴ３は、第５及び第６セグメントＳ５，Ｓ６がそれぞれ対峙する。第４ティースＴ４は第７及び第８セグメントＳ７，Ｓ８がそれぞれ対峙する。
【００３０】
また、第５ティースＴ５は、第９及び第１０セグメントＳ９，Ｓ１０がそれぞれ対峙する。第６ティースＴ６は、第１１及び第１２セグメントＳ１１，Ｓ１２がそれぞれ対峙する。第７ティースＴ７は、第１３及び第１４セグメントＳ１３，Ｓ１４がそれぞれ対峙する。第８ティースＴ８は、第１５及び第１６セグメントＳ１５，Ｓ１６がそれぞれ対峙する。
【００３１】
さらに、第９ティースＴ９は、第１７及び第１８セグメントＳ１７，Ｓ１８がそれぞれ対峙する。第１０ティースＴ１０は、第１９及び第２０セグメントＳ１９，Ｓ２０がそれぞれ対峙する。第１１ティースＴ１１は、第２１及び第２２セグメントＳ２１，Ｓ２２がそれぞれ対峙する。第１２ティースＴ１２は、第２３及び第２４セグメントＳ２３，Ｓ２４がそれぞれ対峙する。
【００３２】
また、第１〜第１２ティースＴ１〜Ｔ１２に一対の第１及び第２分岐部Ｔ１ａ，Ｔ１ｂ〜Ｔ１２ａ，Ｔ１２ｂを形成することによって、電機子コア６に２４個のスロットＳＬを形成される。ここで、説明の便宜上、電機子コア６に形成される２４個のスロットＳＬを特定するために、スロット番号「１」〜「２４」で特定し、その番号を図２〜図１０（第２実施形態の図１１〜図１８も同様）に付す。
【００３３】
ちなみに、本実施形態では、一対の第１及び第２分岐部Ｔ１ａ，Ｔ１ｂ〜Ｔ１２ａ，Ｔ１２ｂの周方向の幅は、内側巻回部Ｔ１ｃ〜Ｔ１２ｃの周方向の幅の半分である。
ここで、各ティースにおいて、それぞれ一対の第１及び第２分岐部Ｔ１ａ，Ｔ１ｂ〜Ｔ１２ａ，Ｔ１２ｂが形成する間隔（スロットＳＬ）の中間位置は、その中間位置と回転軸４の中心軸線を結ぶ線上に、相対配置された２個のセグメントとの間隔の中間位置が位置するようになっている。
【００３４】
つまり、第１ティースＴ１の第１及び第２分岐部Ｔ１ａ，Ｔ１ｂとの間隔（スロット番号「２」のスロットＳＬ）の中間位置と回転軸４の中心軸線を結ぶ線上には、第１及び第２セグメントＳ１，Ｓ２との間隔の中間位置が位置する。
【００３５】
以下、第２ティースＴ２の第１及び第２分岐部Ｔ２ａ，Ｔ２ｂとの間隔（スロット番号「４」のスロットＳＬ）の中間位置と回転軸４の中心軸線を結ぶ線上には、第３及び第４セグメントＳ３，Ｓ４との間隔の中間位置が位置する。
【００３６】
第３ティースＴ３の第１及び第２分岐部Ｔ３ａ，Ｔ３ｂとの間隔（スロット番号「６」のスロットＳＬ）の中間位置と回転軸４の中心軸線を結ぶ線上には、第５及び第６セグメントＳ５，Ｓ６との間隔の中間位置が位置する。
【００３７】
第４ティースＴ４の第１及び第２分岐部Ｔ４ａ，Ｔ４ｂとの間隔（スロット番号「８」のスロットＳＬ）の中間位置と回転軸４の中心軸線を結ぶ線上には、第７及び第８セグメントＳ７，Ｓ８との間隔の中間位置が位置する。
【００３８】
第５ティースＴ５の第１及び第２分岐部Ｔ５ａ，Ｔ５ｂとの間隔（スロット番号「１０」のスロットＳＬ）の中間位置と回転軸４の中心軸線を結ぶ線上には、第９及び第１０セグメントＳ９，Ｓ１０との間隔の中間位置が位置する。
【００３９】
第６ティースＴ６の第１及び第２分岐部Ｔ６ａ，Ｔ６ｂとの間隔（スロット番号「１２」のスロットＳＬ）の中間位置と回転軸４の中心軸線を結ぶ線上には、第１１及び第１２セグメントＳ１１，Ｓ１２との間隔の中間位置が位置する。
【００４０】
第７ティースＴ７の第１及び第２分岐部Ｔ７ａ，Ｔ７ｂとの間隔（スロット番号「１４」のスロットＳＬ）の中間位置と回転軸４の中心軸線を結ぶ線上には、第１３及び第１４セグメントＳ１３，Ｓ１４との間隔の中間位置が位置する。
【００４１】
第８ティースＴ８の第１及び第２分岐部Ｔ８ａ，Ｔ８ｂとの間隔（スロット番号「１６」のスロットＳＬ）の中間位置と回転軸４の中心軸線を結ぶ線上には、第１５及び第１６セグメントＳ１５，Ｓ１６との間隔の中間位置が位置する。
【００４２】
第９ティースＴ９の第１及び第２分岐部Ｔ９ａ，Ｔ９ｂとの間隔（スロット番号「１８」のスロットＳＬ）の中間位置と回転軸４の中心軸線を結ぶ線上には、第１７及び第１８セグメントＳ１７，Ｓ１８との間隔の中間位置が位置する。
【００４３】
第１０ティースＴ１０の第１及び第２分岐部Ｔ１０ａ，Ｔ１０ｂとの間隔（スロット番号「２０」のスロットＳＬ）の中間位置と回転軸４の中心軸線を結ぶ線上には、第１９及び第２０セグメントＳ１９，Ｓ２０との間隔の中間位置が位置する。
【００４４】
第１１ティースＴ１１の第１及び第２分岐部Ｔ１１ａ，Ｔ１１ｂとの間隔（スロット番号「２２」のスロットＳＬ）の中間位置と回転軸４の中心軸線を結ぶ線上には、第２１及び第２２セグメントＳ２１，Ｓ２２との間隔の中間位置が位置する。
【００４５】
第１２ティースＴ１２の第１及び第２分岐部Ｔ１２ａ，Ｔ１２ｂとの間隔（スロット番号「２４」のスロットＳＬ）の中間位置と回転軸４の中心軸線を結ぶ線上には、第２３及び第２４セグメントＳ２３，Ｓ２４との間隔の中間位置が位置する。
【００４６】
また、隣り合うティースにおいて、隣り合う一方のティースの第１分岐部と他方のティースの第２分岐部が形成する間隔（スロットＳＬ）の中間位置は、その中間位置と回転軸４の中心軸線を結ぶ線上に、隣り合うティースに相対配置された片方ずつのセグメントとの間隔の中間位置が位置するようになっている。
【００４７】
詳述すると、第１ティースＴ１の第１分岐部Ｔ１ａと第２ティースＴ２の第２分岐部Ｔ２ｂとの間隔（スロット番号「３」のスロットＳＬ）の中間位置と回転軸４の中心軸線を結ぶ線上には、第２及び第３セグメントＳ２，Ｓ３との間隔の中間位置が位置する。
【００４８】
以下、第２ティースＴ２の第１分岐部Ｔ２ａと第３ティースＴ３の第２分岐部Ｔ３ｂとの間隔（スロット番号「５」のスロットＳＬ）の中間位置と回転軸４の中心軸線を結ぶ線上には、第４及び第５セグメントＳ４，Ｓ５との間隔の中間位置が位置する。
【００４９】
第３ティースＴ３の第１分岐部Ｔ３ａと第４ティースＴ４の第２分岐部Ｔ４ｂとの間隔（スロット番号「７」のスロットＳＬ）の中間位置と回転軸４の中心軸線を結ぶ線上には、第６及び第７セグメントＳ６，Ｓ７との間隔の中間位置が位置する。
【００５０】
第４ティースＴ４の第１分岐部Ｔ４ａと第５ティースＴ５の第２分岐部Ｔ５ｂとの間隔（スロット番号「９」のスロットＳＬ）の中間位置と回転軸４の中心軸線を結ぶ線上には、第８及び第９セグメントＳ８，Ｓ９との間隔の中間位置が位置する。
【００５１】
第５ティースＴ５の第１分岐部Ｔ５ａと第６ティースＴ６の第２分岐部Ｔ６ｂとの間隔（スロット番号「１１」のスロットＳＬ）の中間位置と回転軸４の中心軸線を結ぶ線上には、第１０及び第１１セグメントＳ１０，Ｓ１１との間隔の中間位置が位置する。
【００５２】
第６ティースＴ６の第１分岐部Ｔ６ａと第７ティースＴ７の第２分岐部Ｔ７ｂとの間隔（スロット番号「１３」のスロットＳＬ）の中間位置と回転軸４の中心軸線を結ぶ線上には、第１２及び第１３セグメントＳ１２，Ｓ１３との間隔の中間位置が位置する。
【００５３】
第７ティースＴ７の第１分岐部Ｔ７ａと第８ティースＴ８の第２分岐部Ｔ８ｂとの間隔（スロット番号「１５」のスロットＳＬ）の中間位置と回転軸４の中心軸線を結ぶ線上には、第１４及び第１５セグメントＳ１４，Ｓ１５との間隔の中間位置が位置する。
【００５４】
第８ティースＴ８の第１分岐部Ｔ８ａと第９ティースＴ９の第２分岐部Ｔ９ｂとの間隔（スロット番号「１７」のスロットＳＬ）の中間位置と回転軸４の中心軸線を結ぶ線上には、第１６及び第１７セグメントＳ１６，Ｓ１７との間隔の中間位置が位置する。
【００５５】
第９ティースＴ９の第１分岐部Ｔ９ａと第１０ティースＴ１０の第２分岐部Ｔ１０ｂとの間隔（スロット番号「１９」のスロットＳＬ）の中間位置と回転軸４の中心軸線を結ぶ線上には、第１８及び第１９セグメントＳ１８，Ｓ１９との間隔の中間位置が位置する。
【００５６】
第１０ティースＴ１０の第１分岐部Ｔ１０ａと第１１ティースＴ１１の第２分岐部Ｔ１１ｂとの間隔（スロット番号「２１」のスロットＳＬ）の中間位置と回転軸４の中心軸線を結ぶ線上には、第２０及び第２１セグメントＳ２０，Ｓ２１との間隔の中間位置が位置する。
【００５７】
第１１ティースＴ１１の第１分岐部Ｔ１１ａと第１２ティースＴ１２の第２分岐部Ｔ１２ｂとの間隔（スロット番号「２３」のスロットＳＬ）の中間位置と回転軸４の中心軸線を結ぶ線上には、第２２及び第２３セグメントＳ２２，Ｓ２３との間隔の中間位置が位置する。
【００５８】
第１２ティースＴ１２の第１分岐部Ｔ１２ａと第１ティースＴ１の第２分岐部Ｔ１ｂとの間隔（スロット番号「１」のスロットＳＬ）の中間位置と回転軸４の中心軸線を結ぶ線上には、第２４及び第１セグメントＳ２４，Ｓ１との間隔の中間位置が位置する。
【００５９】
図１に示すように、上記のように構成された電機子コア６の各ティースＴ（第１〜第１２ティースＴ１〜Ｔ１２）には、電機子巻線が巻回されている。
ここで、説明の便宜上、第１〜第１２ティースＴ１〜Ｔ１２の内側巻回部Ｔ１ｃ〜Ｔ１２ｃに巻回されている電機子巻線ついて、第１ティースＴ１の内側巻回部Ｔ１ｃから時計回り方向に第１２ティースＴ１２の内側巻回部Ｔ１２ｃまでそれぞれ巻回されている各巻線を、順番に第１〜第１２巻線Ｃ１〜Ｃ１２を呼ぶ。
【００６０】
また、隣り合うティースの第１分岐部と第２分岐部との間に巻回されている電機子巻線について、第１ティースＴ１の第１分岐部Ｔ１ａと第２ティースＴ２の第２分岐部Ｔ２ｂから時計回り方向に第１２ティースＴ１２の第１分岐部Ｔ１２ａと第１ティースＴ１の第２分岐部Ｔ１ｂまでそれぞれ巻回されている各巻線を、順番に第１３〜第２４巻線Ｃ１３〜Ｃ２４と呼ぶ。
【００６１】
従って、第１〜第１２ティースＴ１〜Ｔ１２の内側巻回部Ｔ１ｃ〜Ｔ１２ｃに巻回された第１〜第１２巻線Ｃ１〜Ｃ１２は、集中巻きとなる。また、隣り合う一方のティースの第１分岐部と他方のティースの第２分岐部との間に巻回された第１３〜第２４巻線Ｃ１３〜Ｃ２４は、分布巻きとなる。
【００６２】
本実施形態では、集中巻きの第１〜第１２巻線Ｃ１〜Ｃ１２について、８個の第１〜第４、第７〜第１０巻線Ｃ１〜Ｃ４，Ｃ７〜Ｃ１０が順巻きにて巻回されている。これに対して、４個の第５、第６、第１１，第１２巻線Ｃ５，Ｃ６，Ｃ１１，Ｃ１２が逆巻きにて巻回されている。
【００６３】
一方、分布巻きの第１３〜第２４巻線Ｃ１３〜Ｃ２４について、８個の第１３〜第１５、第１８〜第２１巻線、第２４巻線Ｃ１３〜Ｃ１５，Ｃ１８〜Ｃ２１，Ｃ２４が順巻きにて巻回されている。これに対して、４個の第１６、第１７、第２２、第２３巻線Ｃ１６，Ｃ１７，Ｃ２２，Ｃ２３が逆巻きにて巻回されている。
【００６４】
次に、第１〜第２４巻線Ｃ１〜Ｃ２４の巻回方法について、以下の表１に示す工程表と図３〜図１０に示す巻回図に従って説明する。
【００６５】
【表１】
2015042034.tif 000003
本実施形態では、表１に示す工程表と図３〜図１０に示す巻回図から明らかなように、１８０°対向する位置に配置された一方の巻線と他方の巻線を同時に巻回していく方法であって、ダブルフライヤー巻線機が用いられる。
【００６６】
従って、工程表において、Ａフライヤー（巻線機）とＢフライヤー（巻線機）が分担して第１〜第２４巻線Ｃ１〜Ｃ２４を巻回する。
工程１（セグメント：Ｓ１→Ｓ１７→Ｓ９、Ｓ１３→Ｓ５→Ｓ２１）
図３（ａ）に示すように、Ａフライヤーは、巻線用の絶縁被膜された第１導線Ｗ１を、第１セグメントＳ１のライザにその始端を引っ掛けて掛け止めした後、反時計回り方向に１２０°離間した第１７セグメントＳ１７まで反時計回り方向に引き回し、同第１７セグメントＳ１７のライザに引っ掛ける。Ａフライヤーは、同第１７セグメントＳ１７のライザに引っ掛けた第１導線Ｗ１を、反時計回り方向に１２０°離間した第９セグメントＳ９まで反時計回り方向に引き回し同第９セグメントＳ９のライザに引っ掛ける。
【００６７】
一方、図３（ａ）に示すように、Ｂフライヤーは、巻線用の絶縁被膜された第２導線Ｗ２を、第１３セグメントＳ１３のライザにその始端を引っ掛けて掛け止めした後、反時計回り方向に１２０°離間した第５セグメントＳ５まで反時計回り方向に引き回し、同第５セグメントＳ５のライザに引っ掛ける。Ｂフライヤーは、同第５セグメントＳ５のライザに引っ掛けた第２導線Ｗ２を、反時計回り方向に１２０°離間した第２１セグメントＳ２１まで反時計回り方向に引き回し同第２１セグメントＳ２１のライザに引っ掛ける。
【００６８】
工程２（スロット：第１巻線Ｃ１、第７巻線Ｃ７）
図３（ｂ）に示すように、Ａフライヤーは、第９セグメントＳ９のライザに引っ掛けた第１導線Ｗ１を、スロット番号「３」のスロットＳＬまで反時計回り方向に引き回す。そして、Ａフライヤーは、スロット番号「３」と「１」のスロットＳＬとの間おいて、引き回した第１導線Ｗ１を第１ティースＴ１の内側巻回部Ｔ１ｃに順巻きにて巻回する。これによって、内側巻回部Ｔ１ｃには、集中巻きで順巻きの第１巻線Ｃ１が巻回される。
【００６９】
一方、図３（ｂ）に示すように、Ｂフライヤーは、第２１セグメントＳ２１のライザに引っ掛けた第２導線Ｗ２を、スロット番号「１５」のスロットＳＬまで反時計回り方向に引き回す。そして、Ｂフライヤーは、スロット番号「１５」と「１３」のスロットＳＬとの間おいて、引き回した第２導線Ｗ２を第７ティースＴ７の内側巻回部Ｔ７ｃに順巻きにて巻回する。これによって、内側巻回部Ｔ７ｃには、集中巻きで順巻きの第７巻線Ｃ７が巻回される。
【００７０】
工程３（セグメント：Ｓ１８、Ｓ６）
図３（ｂ）に示すように、Ａフライヤーは、第１巻線Ｃ１を巻回した第１導線Ｗ１を、スロット番号「１」のスロットＳＬから第１８セグメントＳ１８まで反時計回り方向に引き回し、同第１８セグメントＳ１８のライザに引っ掛ける。
【００７１】
一方、図３（ｂ）に示すように、Ｂフライヤーは、第７巻線Ｃ７を巻回した第２導線Ｗ２を、スロット番号「１３」のスロットＳＬから第６セグメントＳ６まで反時計回り方向に引き回し、同第６セグメントＳ６のライザに引っ掛ける。
【００７２】
工程４（スロット：第５巻線Ｃ５、第１１巻線Ｃ１１）
図４（ａ）に示すように、Ａフライヤーは、第１８セグメントＳ１８のライザに引っ掛けた第１導線Ｗ１を、スロット番号「９」のスロットＳＬまで反時計回り方向に引き回す。そして、Ａフライヤーは、スロット番号「９」と「１１」のスロットＳＬとの間おいて、引き回した第１導線Ｗ１を第５ティースＴ５の内側巻回部Ｔ５ｃに逆巻きにて巻回する。これによって、内側巻回部Ｔ５ｃには、集中巻きで逆巻きの第５巻線Ｃ５が巻回される。
【００７３】
一方、図４（ａ）に示すように、Ｂフライヤーは、第６セグメントＳ６のライザに引っ掛けた第２導線Ｗ２を、スロット番号「２１」のスロットＳＬまで反時計回り方向に引き回す。そして、Ｂフライヤーは、スロット番号「２１」と「２３」のスロットＳＬとの間おいて、引き回した第２導線Ｗ２を第１１ティースＴ１１の内側巻回部Ｔ１１ｃに逆巻きにて巻回する。これによって、内側巻回部Ｔ１１ｃには、集中巻きで逆巻きの第１１巻線Ｃ１１が巻回される。
【００７４】
工程５（セグメント：Ｓ１、Ｓ１３）
図４（ａ）に示すように、Ａフライヤーは、第５巻線Ｃ５を巻回した第１導線Ｗ１を、スロット番号「１」のスロットＳＬから第１セグメントＳ１まで反時計回り方向に引き回し、同第１セグメントＳ１のライザに引っ掛ける。
【００７５】
一方、図４（ａ）に示すように、Ｂフライヤーは、第１１巻線Ｃ１１を巻回した第２導線Ｗ２を、スロット番号「２３」のスロットＳＬから第１３セグメントＳ１３まで反時計回り方向に引き回し、同第１３セグメントＳ１３のライザに引っ掛ける。
【００７６】
工程６（スロット：第９巻線Ｃ９、第３巻線Ｃ３）
図４（ｂ）に示すように、Ａフライヤーは、第１セグメントＳ１のライザに引っ掛けた第１導線Ｗ１を、スロット番号「１９」のスロットＳＬまで反時計回り方向に引き回す。そして、Ａフライヤーは、スロット番号「１９」と「１７」のスロットＳＬとの間おいて、引き回した第１導線Ｗ１を第９ティースＴ９の内側巻回部Ｔ９ｃに順巻きにて巻回する。これによって、内側巻回部Ｔ９ｃには、集中巻きで順巻きの第９巻線Ｃ９が巻回される。
【００７７】
一方、図４（ｂ）に示すように、Ｂフライヤーは、第１３セグメントＳ１３のライザに引っ掛けた第２導線Ｗ２を、スロット番号「７」のスロットＳＬまで反時計回り方向に引き回す。そして、Ｂフライヤーは、スロット番号「７」と「５」のスロットＳＬとの間おいて、引き回した第２導線Ｗ２を第３ティースＴ３の内側巻回部Ｔ３ｃに順巻きにて巻回する。これによって、内側巻回部Ｔ３ｃには、集中巻きで順巻きの第３巻線Ｃ３が巻回される。
【００７８】
工程７（セグメント：Ｓ１０→Ｓ２→Ｓ１８、Ｓ２２→Ｓ１４→Ｓ６）
図４（ｂ）、図５（ａ）に示すように、Ａフライヤーは、第９巻線Ｃ９を巻回した第１導線Ｗ１を、スロット番号「１７」のスロットＳＬから第１０セグメントＳ１０まで反時計回り方向に引き回し、同第１０セグメントＳ１０のライザに引っ掛ける。続いて、Ａフライヤーは、第１０セグメントＳ１０のライザに引っ掛けた第１導線Ｗ１を、反時計回り方向に１２０°離間した第２セグメントＳ２まで反時計回り方向に引き回し同第２セグメントＳ２のライザに引っ掛ける。
【００７９】
さらに、Ａフライヤーは、第１導線Ｗ１を第２セグメントＳ２から反時計回り方向に１２０°離間した第１８セグメントＳ１８まで反時計回り方向に引き回し同第１８セグメントＳ１８ライザに引っ掛け、掛け止めする。
【００８０】
一方、図４（ｂ）、図５（ａ）に示すように、Ｂフライヤーは、第３巻線Ｃ３を巻回した第２導線Ｗ２を、スロット番号「５」のスロットＳＬから第２２セグメントＳ２２まで反時計回り方向に引き回し、同第２２セグメントＳ２２のライザに引っ掛ける。続いて、Ｂフライヤーは、第２２セグメントＳ２２のライザに引っ掛けた第２導線Ｗ２を、反時計回り方向に１２０°離間した第１４セグメントＳ１４まで反時計回り方向に引き回し同第１４セグメントＳ１４のライザに引っ掛ける。
【００８１】
さらに、Ｂフライヤーは、第２導線Ｗ２を第１４セグメントＳ１４から反時計回り方向に１２０°離間した第６セグメントＳ６まで反時計回り方向に引き回し同第６セグメントＳ６のライザに引っ掛け、掛け止めする。
【００８２】
工程８（断線）
Ａフライヤーは、第１８セグメントＳ１８のライザに掛け止めした第１導線Ｗ１を切断（断線）する。
【００８３】
Ｂフライヤーは、第６セグメントＳ６のライザに掛け止めした第２導線Ｗ２を切断（断線）する。
工程９（セグメント：Ｓ３→Ｓ１９→Ｓ１１、Ｓ１５→Ｓ７→Ｓ２３）
図５（ｂ）に示すように、Ａフライヤーは、切断した第１導線Ｗ１を新たに第３セグメントＳ３のライザに掛け止めした後、反時計回り方向に１２０°離間した第１９セグメントＳ１９まで反時計回り方向に引き回し、同第１９セグメントＳ１９のライザに引っ掛ける。続いて、Ａフライヤーは、同第１９セグメントＳ１９のライザに引っ掛けた第１導線Ｗ１を、反時計回り方向に１２０°離間した第１１セグメントＳ１１まで反時計回り方向に引き回し同第１１セグメントＳ１１のライザに引っ掛ける。
【００８４】
一方、図５（ｂ）に示すように、Ｂフライヤーは、切断した第２導線Ｗ２を新たに第１５セグメントＳ１５のライザに掛け止めした後、反時計回り方向に１２０°離間した第７セグメントＳ７まで反時計回り方向に引き回し、同第７セグメントＳ７のライザに引っ掛ける。続いて、Ｂフライヤーは、同第７セグメントＳ７のライザに引っ掛けた第２導線Ｗ２を、反時計回り方向に１２０°離間した第２３セグメントＳ２３まで反時計回り方向に引き回し同第２３セグメントＳ２３のライザに引っ掛ける。
【００８５】
工程１０（スロット：第２巻線Ｃ２、第８巻線Ｃ８）
図６（ａ）に示すように、Ａフライヤーは、第１１セグメントＳ１１のライザに引っ掛けた第１導線Ｗ１を、スロット番号「５」のスロットＳＬまで反時計回り方向に引き回す。そして、Ａフライヤーは、スロット番号「５」と「３」のスロットＳＬとの間おいて、その引き回した第１導線Ｗ１を第２ティースＴ２の内側巻回部Ｔ２ｃに順巻きにて巻回する。これによって、内側巻回部Ｔ２ｃには、集中巻きで順巻きの第２巻線Ｃ２が巻回される。
【００８６】
一方、図６（ａ）に示すように、Ｂフライヤーは、第２３セグメントＳ２３のライザに引っ掛けた第２導線Ｗ２を、スロット番号「１７」のスロットＳＬまで反時計回り方向に引き回す。そして、Ｂフライヤーは、スロット番号「１７」と「１５」のスロットＳＬとの間おいて、その引き回した第２導線Ｗ２を第８ティースＴ８の内側巻回部Ｔ８ｃに順巻きにて巻回する。これによって、内側巻回部Ｔ８ｃには、集中巻きで順巻きの第８巻線Ｃ８が巻回される。
【００８７】
工程１１（セグメント：Ｓ２０、Ｓ８）
図６（ａ）に示すように、Ａフライヤーは、第２巻線Ｃ２を巻回した第１導線Ｗ１を、スロット番号「３」のスロットＳＬから第２０セグメントＳ２０まで反時計回り方向に引き回し、同第２０セグメントＳ２０のライザに引っ掛ける。
【００８８】
一方、図６（ａ）に示すように、Ｂフライヤーは、第８巻線Ｃ８を巻回した第２導線Ｗ２を、スロット番号「１５」のスロットＳＬから第８セグメントＳ８まで反時計回り方向に引き回し、同第８セグメントＳ８のライザに引っ掛ける。
【００８９】
工程１２（スロット：第６巻線Ｃ６、第１２巻線Ｃ１２）
図６（ｂ）に示すように、Ａフライヤーは、第２０セグメントＳ２０のライザに引っ掛けた第１導線Ｗ１を、スロット番号「１１」のスロットＳＬまで反時計回り方向に引き回す。そして、Ａフライヤーは、スロット番号「１１」と「１３」のスロットＳＬとの間おいて、その引き回した第１導線Ｗ１を第６ティースＴ６の内側巻回部Ｔ６ｃに逆巻きにて巻回する。これによって、内側巻回部Ｔ６ｃには、集中巻きで逆巻きの第６巻線Ｃ６が巻回される。
【００９０】
一方、図６（ｂ）に示すように、Ｂフライヤーは、第８セグメントＳ８のライザに引っ掛けた第２導線Ｗ２を、スロット番号「２３」のスロットＳＬまで反時計回り方向に引き回す。そして、Ｂフライヤーは、スロット番号「２３」と「１」のスロットＳＬとの間おいて、その引き回した第２導線Ｗ２を第１２ティースＴ１２の内側巻回部Ｔ１２ｃに逆巻きにて巻回する。これによって、内側巻回部Ｔ１２ｃには、集中巻きで第１２巻線Ｃ１２が巻回される。
【００９１】
工程１３（セグメント：Ｓ３、Ｓ１５）
図６（ｂ）に示すように、Ａフライヤーは、第６巻線Ｃ６を巻回した第１導線Ｗ１を、スロット番号「１３」のスロットＳＬから第３セグメントＳ３まで反時計回り方向に引き回し、同第３セグメントＳ３のライザに引っ掛ける。
【００９２】
一方、図６（ｂ）に示すように、Ｂフライヤーは、第１２巻線Ｃ１２を巻回した第２導線Ｗ２を、スロット番号「１」のスロットＳＬから第１５セグメントＳ１５まで反時計回り方向に引き回し、同第１５セグメントＳ１５のライザに引っ掛ける。
【００９３】
工程１４（スロット：第１０巻線Ｃ１０、第４巻線Ｃ４）
図７（ａ）に示すように、Ａフライヤーは、第３セグメントＳ３のライザに引っ掛けた第１導線Ｗ１を、スロット番号「２１」のスロットＳＬまで反時計回り方向に引き回す。そして、Ａフライヤーは、スロット番号「２１」と「１９」のスロットＳＬとの間おいて、引き回した第１導線Ｗ１を第１０ティースＴ１０の内側巻回部Ｔ１０ｃに順巻きにて巻回する。これによって、内側巻回部Ｔ１０ｃには、集中巻きで順巻きの第１０巻線Ｃ１０が巻回される。
【００９４】
一方、図７（ａ）に示すように、Ｂフライヤーは、第１５セグメントＳ１５のライザに引っ掛けた第２導線Ｗ２を、スロット番号「９」のスロットＳＬまで反時計回り方向に引き回す。そして、Ｂフライヤーは、スロット番号「９」と「７」のスロットＳＬとの間おいて、引き回した第２導線Ｗ２を第４ティースＴ４の内側巻回部Ｔ４ｃに順巻きにて巻回する。これによって、内側巻回部Ｔ４ｃには、集中巻きで順巻きの第４巻線Ｃ４が巻回される。
【００９５】
この時点で、１２個全ての内側巻回部Ｔ１ｃ〜Ｔ１２ｃのそれぞれに集中巻線からなる第１〜第９巻線Ｃ１〜Ｃ１２が、ＡフライヤーとＢフライヤーにて巻回される。
工程１５（セグメント：Ｓ１２→Ｓ４→Ｓ２０、Ｓ２４→Ｓ１６→Ｓ８）
図７（ａ）（ｂ）に示すように、Ａフライヤーは、第１０巻線Ｃ１０を巻回した第１導線Ｗ１を、スロット番号「１９」のスロットＳＬから第１２セグメントＳ１２まで反時計回り方向に引き回し、同第１２セグメントＳ１２のライザに引っ掛ける。続いて、Ａフライヤーは、第１２セグメントＳ１２のライザに引っ掛けた第１導線Ｗ１を、反時計回り方向に１２０°離間した第４セグメントＳ４まで反時計回り方向に引き回し、同第４セグメントＳ４のライザに引っ掛ける。
【００９６】
さらに、Ａフライヤーは、第１導線Ｗ１を第４セグメントＳ４から反時計回り方向に１２０°離間した第２０セグメントＳ２０まで反時計回り方向に引き回し、同第２０セグメントＳ２０のライザに引っ掛ける。
【００９７】
一方、図７（ａ）（ｂ）に示すように、Ｂフライヤーは、第４巻線Ｃ４を巻回した第２導線Ｗ２を、スロット番号「７」のスロットＳＬから第２４セグメントＳ２４まで反時計回り方向に引き回し、同第２４セグメントＳ２４のライザに引っ掛ける。続いて、Ｂフライヤーは、第２４セグメントＳ２４のライザに引っ掛けた第２導線Ｗ２を、反時計回り方向に１２０°離間した第１６セグメントＳ１６まで反時計回り方向に引き回し、同第１６セグメントＳ１６のライザに引っ掛ける。
【００９８】
さらに、Ｂフライヤーは、第２導線Ｗ２を第１６セグメントＳ１６から反時計回り方向に１２０°離間した第８セグメントＳ８まで反時計回り方向に引き回し、同第８セグメントＳ８のライザに引っ掛ける。
【００９９】
工程１６（スロット：第１８巻線Ｃ１８、第２４巻線Ｃ２４）
図８（ａ）に示すように、Ａフライヤーは、第２０セグメントＳ２０のライザに引っ掛けた第１導線Ｗ１を、スロット番号「１４」のスロットＳＬまで反時計回り方向に引き回す。そして、Ａフライヤーは、スロット番号「１４」と「１２」のスロットＳＬとの間おいて、即ち、第７ティースＴ７の第２分岐部Ｔ７ｂ及び第６ティースＴ６の第１分岐部Ｔ６ａ間に、その引き回した第１導線Ｗ１を順巻きにて巻回する。これによって、第２分岐部Ｔ７ｂと第１分岐部Ｔ６ａの間には、分布巻きで順巻きの第１８巻線Ｃ１８が巻回される。
【０１００】
一方、図８（ａ）に示すように、Ｂフライヤーは、第８セグメントＳ８のライザに引っ掛けた第２導線Ｗ２を、スロット番号「２」のスロットＳＬまで反時計回り方向に引き回す。そして、Ｂフライヤーは、スロット番号「２」と「２４」のスロットＳＬとの間おいて、即ち、第１ティースＴ１の第２分岐部Ｔ１ｂ及び第１２ティースＴ１２の第１分岐部Ｔ１２ａ間に、その引き回した第２導線Ｗ２を順巻きにて巻回する。これによって、第２分岐部Ｔ１ｂと第１分岐部Ｔ１２ａの間には、分布巻きで順巻きの第２４巻線Ｃ２４が巻回される。
【０１０１】
工程１７（セグメント：Ｓ５、Ｓ７）
図８（ａ）に示すように、Ａフライヤーは、第１８巻線Ｃ１８を巻回した第１導線Ｗ１を、スロット番号「１２」のスロットＳＬから第５セグメントＳ５まで反時計回り方向に引き回し、同第５セグメントＳ５のライザに引っ掛ける。
【０１０２】
一方、図８（ａ）に示すように、Ｂフライヤーは、第２４巻線Ｃ２４を巻回した第２導線Ｗ２を、スロット番号「２４」のスロットＳＬから第１７セグメントＳ１７まで反時計回り方向に引き回し、同第１７セグメントＳ１７のライザに引っ掛ける。
【０１０３】
工程１８（スロット：第２２巻線Ｃ２２、第１６巻線Ｃ１６）
図８（ｂ）に示すように、Ａフライヤーは、第５セグメントＳ５のライザに引っ掛けた第１導線Ｗ１を、スロット番号「２０」のスロットＳＬまで反時計回り方向に引き回す。そして、Ａフライヤーは、スロット番号「２０」と「２２」のスロットＳＬとの間おいて、即ち、第１１ティースＴ１１の第２分岐部Ｔ１１ｂ及び第１０ティースＴ１０の第１分岐部Ｔ１０ａ間に、引き回した第１導線Ｗ１を逆巻きにて巻回する。これによって、第２分岐部Ｔ１１ｂと第１分岐部Ｔ１０ａの間には、分布巻きで逆巻きの第２２巻線Ｃ２２が巻回される。
【０１０４】
一方、図８（ｂ）に示すように、Ｂフライヤーは、第１７セグメントＳ１７のライザに引っ掛けた第２導線Ｗ２を、スロット番号「８」のスロットＳＬまで反時計回り方向に引き回す。そして、Ｂフライヤーは、スロット番号「８」と「１０」のスロットＳＬとの間おいて、即ち、第５ティースＴ５の第２分岐部Ｔ５ｂ及び第４ティースＴ４の第１分岐部Ｔ４ａ間に、その引き回した第２導線Ｗ２を逆巻きにて巻回する。これによって、第２分岐部Ｔ５ｂと第１分岐部Ｔ４ａの間には、分布巻きで逆巻きの第１６巻線Ｃ１６が巻回される。
【０１０５】
工程１９（セグメント：Ｓ１２、Ｓ２４）
図８（ｂ）に示すように、Ａフライヤーは、第２２巻線Ｃ２２を巻回した第１導線Ｗ１を、スロット番号「２２」のスロットＳＬから第１２セグメントＳ１２まで反時計回り方向に引き回し、同第１２セグメントＳ１２のライザに引っ掛ける。
【０１０６】
一方、図８（ｂ）に示すように、Ｂフライヤーは、第１６巻線Ｃ１６を巻回した第２導線Ｗ２を、スロット番号「１０」のスロットＳＬから第２４セグメントＳ２４まで反時計回り方向に引き回し、同第２４セグメントＳ２４のライザに引っ掛ける。
【０１０７】
工程２０（スロット：第１４巻線Ｃ１４、第２０巻線Ｃ２０）
図９（ａ）に示すように、Ａフライヤーは、第１２セグメントＳ１２のライザに引っ掛けた第１導線Ｗ１を、スロット番号「６」のスロットＳＬまで反時計回り方向に引き回す。そして、Ａフライヤーは、スロット番号「６」と「４」のスロットＳＬとの間おいて、即ち、第３ティースＴ３の第２分岐部Ｔ３ｂ及び第２ティースＴ２の第１分岐部Ｔ２ａ間に、その引き回した第１導線Ｗ１を順巻きにて巻回する。これによって、第２分岐部Ｔ３ｂと第１分岐部Ｔ２ａの間には、分布巻きで順巻きの第１４巻線Ｃ１４が巻回される。
【０１０８】
一方、図９（ａ）に示すように、Ｂフライヤーは、第２４セグメントＳ２４のライザに引っ掛けた第２導線Ｗ２を、スロット番号「１８」のスロットＳＬまで反時計回り方向に引き回す。そして、Ｂフライヤーは、スロット番号「１８」と「１６」のスロットＳＬとの間おいて、即ち、第９ティースＴ９の第２分岐部Ｔ９ｂ及び第８ティースＴ８の第１分岐部Ｔ８ａ間に、その引き回した第２導線Ｗ２を順巻きにて巻回する。これによって、第２分岐部Ｔ９ｂと第１分岐部Ｔ８ａの間には、分布巻きで順巻きの第２０巻線Ｃ２０が巻回される。
【０１０９】
工程２１（セグメント：Ｓ２１、Ｓ９）
図９（ａ）に示すように、Ａフライヤーは、第１４巻線Ｃ１４を巻回した第１導線Ｗ１を、スロット番号「４」のスロットＳＬから第２１セグメントＳ２１まで反時計回り方向に引き回し、同第２１セグメントＳ２１のライザに引っ掛け、掛け止めする。
【０１１０】
一方、図９（ａ）に示すように、Ｂフライヤーは、第２０巻線Ｃ２０を巻回した第２導線Ｗ２を、スロット番号「１６」のスロットＳＬから第９セグメントＳ９まで反時計回り方向に引き回し、同第９セグメントＳ９のライザに引っ掛け、掛け止めする。
【０１１１】
工程２２（断線）
Ａフライヤーは、第２１セグメントＳ２１のライザに掛け止めした第１導線Ｗ１を切断（断線）する。
【０１１２】
Ｂフライヤーは、第９セグメントＳ９のライザに掛け止めした第２導線Ｗ２を切断（断線）する。
工程２３（セグメント：Ｓ２２、Ｓ１０）
図９（ｂ）に示すように、Ａフライヤーは、切断した第１導線Ｗ１を新たに第２２セグメントＳ２２のライザに掛け止めする。
【０１１３】
一方、図９（ｂ）に示すように、Ｂフライヤーは、切断した第２導線Ｗ２を新たに第１０セグメントＳ１０のライザに掛け止めする。
工程２４（スロット：第１９巻線Ｃ１９、第１３巻線Ｃ１３）
図９（ｂ）に示すように、Ａフライヤーは、第２２セグメントＳ２２のライザに掛け止めした第１導線Ｗ１を、スロット番号「１６」のスロットＳＬまで反時計回り方向に引き回す。そして、Ａフライヤーは、スロット番号「１６」と「１４」のスロットＳＬとの間おいて、即ち、第８ティースＴ８の第２分岐部Ｔ８ｂ及び第７ティースＴ７の第１分岐部Ｔ７ａ間に、その引き回した第１導線Ｗ１を順巻きにて巻回する。これによって、第２分岐部Ｔ８ｂと第１分岐部Ｔ７ａの間には、分布巻きで順巻きの第１９巻線Ｃ１９が巻回される。
【０１１４】
一方、図９（ｂ）に示すように、Ｂフライヤーは、第１０セグメントＳ１０のライザに掛け止めした第２導線Ｗ２を、スロット番号「４」のスロットＳＬまで反時計回り方向に引き回す。そして、Ｂフライヤーは、スロット番号「４」と「２」のスロットＳＬとの間おいて、即ち、第２ティースＴ２の第２分岐部Ｔ２ｂ及び第１ティースＴ１の第１分岐部Ｔ１ａ間に、その引き出した第２導線Ｗ２を順巻きにて巻回する。これによって、第２分岐部Ｔ２ｂと第１分岐部Ｔ１ａの間には、分布巻きで順巻きの第１３巻線Ｃ１３が巻回される。
【０１１５】
工程２５（セグメント：Ｓ７、Ｓ１９）
図９（ｂ）に示すように、Ａフライヤーは、第１９巻線Ｃ１９を巻回した第１導線Ｗ１を、スロット番号「１４」のスロットＳＬから第７セグメントＳ７まで反時計回り方向に引き回し、同第７セグメントＳ７のライザに引っ掛ける。
【０１１６】
一方、図９（ｂ）に示すように、Ｂフライヤーは、第１３巻線Ｃ１３を巻回した第２導線Ｗ２を、スロット番号「２」のスロットＳＬから第１９セグメントＳ１９まで反時計回り方向に引き回し、同第１９セグメントＳ１９のライザに引っ掛ける。
【０１１７】
工程２６（スロット：第２３巻線Ｃ２３、第１７巻線Ｃ１７）
図１０（ａ）に示すように、Ａフライヤーは、第７セグメントＳ７のライザに引っ掛けた第１導線Ｗ１を、スロット番号「２２」のスロットＳＬまで反時計回り方向に引き回す。そして、Ａフライヤーは、スロット番号「２２」と「２４」のスロットＳＬとの間おいて、即ち、第１２ティースＴ１２の第２分岐部Ｔ１２ｂ及び第１１ティースＴ１１の第１分岐部Ｔ１１ａ間に、その引き回した第１導線Ｗ１を逆巻きにて巻回する。これによって、第２分岐部Ｔ１２ｂと第１分岐部Ｔ１１ａの間に、分布巻きで逆巻きの第２３巻線Ｃ２３が巻回される。
【０１１８】
一方、図１０（ａ）に示すように、Ｂフライヤーは、第１９セグメントＳ１９のライザに引っ掛けた第２導線Ｗ２を、スロット番号「１０」のスロットＳＬまで反時計回り方向に引き回す。そして、Ｂフライヤーは、スロット番号「１０」と「１２」のスロットＳＬとの間おいて、即ち、第６ティースＴ６の第２分岐部Ｔ６ｂ及び第５ティースＴ５の第１分岐部Ｔ５ａ間に、引き回した第２導線Ｗ２を逆巻きにて巻回する。これによって、第２分岐部Ｔ６ｂと第１分岐部Ｔ５ａの間には、分布巻きで逆巻きの第１７巻線Ｃ１７が巻回される。
【０１１９】
工程２７（セグメント：Ｓ１４、Ｓ２）
図１０（ａ）に示すように、Ａフライヤーは、第２３巻線Ｃ２３を巻回した第１導線Ｗ１を、スロット番号「２４」のスロットＳＬから第１４セグメントＳ１４まで反時計回り方向に引き回し、同第１４セグメントＳ１４のライザに引っ掛ける。
【０１２０】
一方、図１０（ａ）に示すように、Ｂフライヤーは、第１７巻線Ｃ１７を巻回した第２導線Ｗ２を、スロット番号「１２」のスロットＳＬから第２セグメントＳ２まで反時計回り方向に引き回し、同第２セグメントＳ２のライザに引っ掛ける。
【０１２１】
工程２８（スロット：第１５巻線Ｃ１５、第２１巻線Ｃ２１）
図１０（ｂ）に示すように、Ａフライヤーは、第１４セグメントＳ１４のライザに引っ掛けた第１導線Ｗ１を、スロット番号「８」のスロットＳＬまで反時計回り方向に引き回す。そして、Ａフライヤーは、スロット番号「８」と「６」のスロットＳＬとの間おいて、即ち、第４ティースＴ４の第２分岐部Ｔ４ｂ及び第３ティースＴ３の第１分岐部Ｔ３ａ間に、その引き回した第１導線Ｗ１を順巻きにて巻回する。これによって、第２分岐部Ｔ４ｂと第１分岐部Ｔ３ａの間には、分布巻きで順巻きの第１５巻線Ｃ１５が巻回される。
【０１２２】
一方、図１０（ｂ）に示すように、Ｂフライヤーは、第２セグメントＳ２のライザに引っ掛けた第２導線Ｗ２を、スロット番号「２０」のスロットＳＬまで反時計回り方向に引き回す。そして、Ｂフライヤーは、スロット番号「２０」と「１８」のスロットＳＬとの間おいて、即ち、第１０ティースＴ１０の第２分岐部Ｔ１０ｂ及び第９ティースＴ９の第１分岐部Ｔ９ａ間に、引き回した第２導線Ｗ２を順巻きにて巻回する。これによって、第２分岐部Ｔ１０ｂと第１分岐部Ｔ９ａの間には、分布巻きで順巻きの第２１巻線Ｃ２１が巻回される。
【０１２３】
工程２９（セグメント：Ｓ２３、Ｓ１１）
図１０（ｂ）に示すように、Ａフライヤーは、第１５巻線Ｃ１５を巻回した第１導線Ｗ１を、スロット番号「６」のスロットＳＬから第２３セグメントＳ２３まで反時計回り方向に引き回し、同第２３セグメントＳ２３のライザに引っ掛けて掛け止める。
【０１２４】
一方、図１０（ｂ）に示すように、Ｂフライヤーは、第２１巻線Ｃ２１を巻回した第２導線Ｗ２を、スロット番号「１８」のスロットＳＬから第１１セグメントＳ１１まで反時計回り方向に引き回し、同第１１セグメントＳ１１のライザに引っ掛けて掛け止める。
【０１２５】
これによって、ＡフライヤーとＢフライヤーからなるダブルフライヤー巻線機を使っての第１〜第２４巻線Ｃ１〜Ｃ２４の巻回作業は終了する。
次に、上記第１実施形態の作用を記載する。
【０１２６】
ＡフライヤーとＢフライヤーを備えたダブルフライヤー巻線機は、工程１〜工程２９において、ＡフライヤーとＢフライヤーが１８０°対峙して結線・巻回作業を行う。そのため、工程１〜工程２９において、結線・巻回作業途中で、ＡフライヤーとＢフライヤーが衝突することなく、それぞれ分担の結線・巻回作業が行われる。
【０１２７】
そして、互いに１８０°対峙して結線・巻回作業を行うＡフライヤーとＢフライヤーは、まず、第１〜第１２ティースＴ１〜Ｔ１２の内側巻回部Ｔ１ｃ〜Ｔ１２ｃに巻回する第１〜第１２巻線Ｃ１〜Ｃ１２をそれぞれ分担して巻回する。その後に、ＡフライヤーとＢフライヤーは、隣り合う一方のティースの第１分岐部と他方のティースの第２分岐部との間に巻回する第１３〜第２４巻線Ｃ１３〜Ｃ２４をそれぞれ分担して巻回する。
【０１２８】
つまり、ＡフライヤーとＢフライヤーは、内側に位置する第１〜第１２巻線Ｃ１〜Ｃ１２を巻回した後に外側に位置する第１３〜第２４巻線Ｃ１３〜Ｃ２４を巻回する。そのため、外側に位置する第１３〜第２４巻線Ｃ１３〜Ｃ２４が先に巻回されてしまって、内側に位置する第１〜第１２巻線Ｃ１〜Ｃ１２が巻回不能になることはない。
【０１２９】
また、ＡフライヤーとＢフライヤーは、工程１〜工程２９において、それぞれの導線Ｗ１，Ｗ２を引き回すとき、反時計回り方向に導いて巻回・結線を行うようにした。これによって、導線Ｗ１，Ｗ２を引き回す方向は一方向（反時計回り方向）なり、単調な動作の繰り返しで結線・巻回作業が行われる。
【０１３０】
さらに、ＡフライヤーとＢフライヤーとが対峙して、１２個の内側巻回部Ｔ１ｃ〜Ｔ１２ｃに集中巻の第１〜第１２巻線Ｃ１〜Ｃ１２を巻回する際、Ａフライヤーが６個、Ｂフライヤーが６個と等しく分担し巻回する。
【０１３１】
つまり、Ａフライヤーは、第１巻線Ｃ１、第５巻線Ｃ５、第９巻線Ｃ９、第２巻線Ｃ２、第６巻線Ｃ６、第１０巻線Ｃ１０を巻回する。一方、Ｂフライヤーは、第７巻線Ｃ７、第１１巻線Ｃ１１、第３巻線Ｃ３、第８巻線Ｃ８、第１２巻線Ｃ１２、第４巻線Ｃ４を巻回する。
【０１３２】
このとき、Ａフライヤーが６個の巻線を集中巻で巻回するとき（Ｂフライヤーも同様）、まず、３個の巻線について、反時計回り方向に１２０°離間した位置に巻線を巻回した後に、残り３個の巻線について、反時計回り方向に１２０°離間した位置に巻線を巻回するようにした。
【０１３３】
詳述すると、Ａフライヤーは、第１巻線Ｃ１→第５巻線Ｃ５→第９巻線Ｃ９の順で３個の巻線を巻回した後、第２巻線Ｃ２→第６巻線Ｃ６→第１０巻線Ｃ１０の順で残る３個の巻線を巻回した。一方、Ｂフライヤーは、第７巻線Ｃ７→第１１巻線Ｃ１１→第３巻線Ｃ３の順で３個の巻線を巻回した後、第８巻線Ｃ８→第１２巻線Ｃ１２→第４巻線Ｃ４の順で残る３個の巻線を巻回した。
【０１３４】
しかも、反時計回り方向に１２０°離間した位置に３個の巻線を集中巻で巻回するとき、Ａフライヤーは（Ｂフライヤーも同様）、１番目の巻線を順巻き、２番目の巻線を逆巻き、３番目の巻線を順巻きとなるように巻回した。つまり、１２０°離間した位置で順巻き、逆巻き、順巻きとなる巻線を配置した。
【０１３５】
従って、ＡフライヤーとＢフライヤーは、それぞれ各巻線を集中巻で巻回するとき、常に巻回方向が同じとなり、ＡフライヤーとＢフライヤーは、対峙した位置で終始同じ動作を行う。その結果、ダブルフライヤー巻線機のＡフライヤーとＢフライヤーを互いに異なる向き動きをさせる必要がないことから、ダブルフライヤー巻線機による集中巻の巻回作業は、非常に簡単であって短時間作業となる。
【０１３６】
同様に、ＡフライヤーとＢフライヤーとが対峙して、１２個の分布巻の第１３〜第２４巻線Ｃ１３〜Ｃ２４を巻回する際、Ａフライヤーが６個、Ｂフライヤーが６個と等しく分担し巻回する。
【０１３７】
つまり、Ａフライヤーは、第１８巻線Ｃ１８、第２２巻線Ｃ２２、第１４巻線Ｃ１４、第１９巻線Ｃ１９，第２３巻線Ｃ２３、第１５巻線Ｃ１５を巻回する。一方、Ｂフライヤーは、第２４巻線Ｃ２４、第１６巻線Ｃ１６、第２０巻線Ｃ２０、第１３巻線Ｃ１３、第１７巻線Ｃ１７、第２１巻線Ｃ２１を巻回する。
【０１３８】
このとき、Ａフライヤーが６個の巻線を分布巻で巻回するとき（Ｂフライヤーも同様）、まず、３個の巻線について、反時計回り方向に１２０°離間した位置に巻線を巻回した後に、残り３個の巻線について、反時計回り方向に１２０°離間した位置に巻線を巻回するようにした。
【０１３９】
詳述すると、Ａフライヤーは、第１８巻線Ｃ１８→第２２巻線Ｃ２２→第１４巻線Ｃ１４の順で３個の巻線を巻回した後、第１９巻線Ｃ１９→第２３巻線Ｃ２３→第１５巻線Ｃ１５の順で残る３個の巻線を巻回した。一方、Ｂフライヤーは、第２４巻線Ｃ２４→第１６巻線Ｃ１６→第２０巻線Ｃ２０の順で３個の巻線を巻回した後、第１３巻線Ｃ１３→第１７巻線Ｃ１７→第２１巻線Ｃ２１→の順で残る３個の巻線を巻回した。
【０１４０】
しかも、反時計回り方向に１２０°離間した位置に３個の巻線を分布巻で巻回するとき、Ａフライヤーは（Ｂフライヤーも同様）、１番目の巻線を順巻き、２番目の巻線を逆巻き、３番目の巻線を順巻きとなるように巻回した。つまり、１２０°離間した位置で順巻き、逆巻き、順巻きとなる巻線を配置した。
【０１４１】
従って、ＡフライヤーとＢフライヤーは、それぞれ各巻線を分布巻で巻回するとき、常に巻回方向が同じとなり、ＡフライヤーとＢフライヤーは、対峙した位置で終始同じ動作を行う。その結果、ダブルフライヤー巻線機のＡフライヤーとＢフライヤーを互いに異なる向き動きをさせる必要がないことから、ダブルフライヤー巻線機による分布巻の巻回作業は、非常に簡単であって短時間作業となる。
【０１４２】
また、第１〜第２４巻線Ｃ１〜Ｃ２４を巻回する際、Ａフライヤー又はＢフライヤーにて、第１〜第２４セグメントＳ１〜Ｓ２４のライザが、導線Ｗ１，Ｗ２に引っ掛けられる回数は、２回以下である。
【０１４３】
詳述すると、表１に示すように、第４及び第１６セグメントＳ４，Ｓ１６のライザは、導線Ｗ１，Ｗ２のいずれかが１回引っ掛けられ、残る２２個のセグメントＳ１〜Ｓ３，Ｓ５〜Ｓ１５，Ｓ１７〜Ｓ２４のライザは、導線Ｗ１，Ｗ２が合わせて２回引っ掛けられようになっている。つまり、第１〜第２４セグメントＳ１〜Ｓ２４のライザの中で、導線Ｗ１，Ｗ２が合わせて３回以上引っ掛けられたライザはなく、ほぼ２回に平均化されている。
【０１４４】
そのため、ライザの長さは、導線Ｗ１，Ｗ２が合わせて２回引っ掛けられる長さに統一すれば、導線Ｗ１，Ｗ２を引っ掛けられないライザは無い。従って、ライザの長さを、導線Ｗ１，Ｗ２が合わせて３回引っ掛けられる長さではなく、導線Ｗ１，Ｗ２が合わせて２回引っ掛けられる短い長さにすることができる。しかも、後工程で行われるライザに引っ掛けられた導線を同ライザと電気的に接続するためのヒュージング作業は、引っ掛けられている導線が１回の場合と２回の場合の２種類のヒュージングで済む。
【０１４５】
次に、上記第１実施形態の効果を以下に記載する。
（１）本実施形態によれば、ダブルフライヤー巻線機を使い、そのダブルフライヤー巻線機のＡフライヤーとＢフライヤーがそれぞれ分担して、第１〜第２４巻線Ｃ２４を巻回するため、結線・巻回作業時間の短縮を図ることができる。
【０１４６】
（２）本実施形態によれば、集中巻線よりなる１２個の第１〜第１２巻線Ｃ１〜Ｃ１２を、１８０°対峙したＡフライヤーとＢフライヤーにてそれぞれ６個ずつ分担して巻回した。このとき、最初の３個を反時計回り方向に１２０°離間した位置にそれぞれ巻線を巻回した後に、残り３個を反時計回り方向に１２０°離間した位置に巻線を巻回した。従って、第１及び第２導線Ｗ１，Ｗ２の引き回し方向を終始同じ反時計回り方向になるため、単調な動作を繰り返しとなり結線・巻回作業時間がより短時間になる。
【０１４７】
（３）本実施形態によれば、分布巻線よりなる１２個の第１３〜第２４巻線Ｃ１３〜Ｃ２４を、１８０°対峙したＡフライヤーとＢフライヤーにてそれぞれ６個ずつ分担して巻回した。このとき、最初の３個を反時計回り方向に１２０°離間した位置にそれぞれ巻線を巻回した後に、残り３個を反時計回り方向に１２０°離間した位置に巻線を巻回した。従って、第１及び第２導線Ｗ１，Ｗ２の引き回し方向を終始同じ反時計回り方向になるため、単調な動作を繰り返しとなり結線・巻回作業時間がより短時間になる。
【０１４８】
（４）本実施形態によれば、ＡフライヤーとＢフライヤーは、それぞれ第１〜第１２巻線Ｃ１〜Ｃ１２を分担して集中巻で巻回するとき、常に巻回方向が同じとなり、ダブルフライヤー巻線機による、集中巻の巻回作業は、簡単で短時間に行われる。
【０１４９】
（５）本実施形態によれば、ＡフライヤーとＢフライヤーは、それぞれ第１３〜第２４巻線Ｃ１３〜Ｃ２４を分担して分布巻するとき、常に巻回方向が同じとなり、ダブルフライヤー巻線機による、集中巻の巻回作業は、簡単で短時間に行われる。
【０１５０】
（６）本実施形態によれば、第１〜第２４巻線Ｃ１〜Ｃ２４を巻回したとき、第１〜第２４セグメントＳ１〜Ｓ２４のライザは、導線Ｗ１，Ｗ２に引っ掛けられる回数がそれぞれ２回以下である。
【０１５１】
そのため、ライザの長さを、導線Ｗ１，Ｗ２が合わせて２回引っ掛けられる短い長さにでき、半田等の溶着材料の低減を図ることができる。しかも、後工程で行われる導線とライザを電気的に接続するためのヒュージング作業は、引っ掛けられている導線が１回の場合と２回の場合の２種類のヒュージングで済み、簡単な作業となる。
【０１５２】
（第２実施形態）
本実施形態は、第１〜第２４巻線Ｃ１〜Ｃ２４の巻回方法が第１実施形態と相違する。
そこで、本実施形態の巻回方法を以下の表２に示す工程表と図１１〜図１８に示す巻回図に従って説明する。
【０１５３】
【表２】
2015042034.tif 000004
本実施形態では、集中巻きの第１〜第１２巻線Ｃ１〜Ｃ１２について、８個の第２、第３、第５、第６、第８、第９、第１１、第１２巻線Ｃ２，Ｃ３，Ｃ５，Ｃ６，Ｃ８，Ｃ９，Ｃ１１，Ｃ１２が順巻きにて巻回されている。これに対して、４個の第１、第４、第７巻線，第１０巻線Ｃ１，Ｃ４，Ｃ７，Ｃ１０が逆巻きにて巻回されている。
【０１５４】
一方、分布巻きの第１３〜第２４巻線Ｃ１３〜Ｃ２４について、８個の第１３、第１６〜第１９、第２２〜第２４巻線Ｃ１３，Ｃ１６〜Ｃ１９，Ｃ２２〜Ｃ２４が順巻きにて巻回されている。これに対して、４個の第１４、第１５、第２０、第２１巻線Ｃ１４，Ｃ１５，Ｃ２０，Ｃ２１が逆巻きにて巻回されている。
【０１５５】
なお、本実施形態では、第１実施形態と同様に、ＡフライヤーとＢフライヤーからなるダブルフライヤー巻線機を使って第１〜第２４巻線Ｃ１〜Ｃ２４を巻回する。
工程１（セグメント：Ｓ１７→Ｓ９→Ｓ１、Ｓ５→Ｓ２１→Ｓ１３）
図１１（ａ）に示すように、Ａフライヤーは、巻線用の絶縁被膜された第１導線Ｗ１を、第１７セグメントＳ１７のライザにその始端を引っ掛けて掛け止めした後、反時計回り方向に１２０°離間した第９セグメントＳ９まで反時計回り方向に引き回し、同第９セグメントＳ９のライザに引っ掛ける。Ａフライヤーは、同第９セグメントＳ９のライザに引っ掛けた第１導線Ｗ１を、反時計回り方向に１２０°離間した第１セグメントＳ１まで反時計回り方向に引き回し同第１セグメントＳ１のライザに引っ掛ける。
【０１５６】
一方、図１１（ａ）に示すように、Ｂフライヤーは、巻線用の絶縁被膜された第２導線Ｗ２を、第５セグメントＳ５のライザにその始端を引っ掛けて掛け止めした後、反時計回り方向に１２０°離間した第２１セグメントＳ２１まで反時計回り方向に引き回し、同第２１セグメントＳ２１のライザに引っ掛ける。Ｂフライヤーは、同第２１セグメントＳ２１のライザに引っ掛けた第１導線Ｗ１を、反時計回り方向に１２０°離間した第１３セグメントＳ１３まで反時計回り方向に引き回し同第１３セグメントＳ１３のライザに引っ掛ける。
【０１５７】
工程２（スロット：第９巻線Ｃ９、第３巻線Ｃ３）
図１１（ｂ）に示すように、Ａフライヤーは、第１セグメントＳ１のライザに引っ掛けた第１導線Ｗ１を、スロット番号「１９」のスロットＳＬまで反時計回り方向に引き回す。そして、Ａフライヤーは、スロット番号「１９」と「１７」のスロットＳＬとの間おいて、引き回した第１導線Ｗ１を第９ティースＴ９の内側巻回部Ｔ９ｃに順巻きにて巻回する。これによって、内側巻回部Ｔ９ｃには、集中巻きで順巻きの第９巻線Ｃ９が巻回される。
【０１５８】
一方、図１１（ｂ）に示すように、Ｂフライヤーは、第１３セグメントＳ１３のライザに引っ掛けた第２導線Ｗ２を、スロット番号「７」のスロットＳＬまで反時計回り方向に引き回す。そして、Ｂフライヤーは、スロット番号「７」と「５」のスロットＳＬとの間おいて、引き回した第２導線Ｗ２を第３ティースＴ３の内側巻回部Ｔ３ｃに順巻きにて巻回する。これによって、内側巻回部Ｔ３ｃには、集中巻きで順巻きの第３巻線Ｃ３が巻回される。
【０１５９】
工程３（セグメント：Ｓ１０、Ｓ２２）
図１１（ｂ）に示すように、Ａフライヤーは、第９巻線Ｃ９を巻回した第１導線Ｗ１を、スロット番号「１７」のスロットＳＬから第１０セグメントＳ１０まで反時計回り方向に引き回し、同第１０セグメントＳ１０のライザに引っ掛ける。
【０１６０】
一方、図１１（ｂ）に示すように、Ｂフライヤーは、第３巻線Ｃ３を巻回した第２導線Ｗ２を、スロット番号「５」のスロットＳＬから第２２セグメントＳ２２まで反時計回り方向に引き回し、同第２２セグメントＳ２２のライザに引っ掛ける。
【０１６１】
工程４（スロット：第１巻線Ｃ１、第７巻線Ｃ７）
図１２（ａ）に示すように、Ａフライヤーは、第１０セグメントＳ１０のライザに引っ掛けた第１導線Ｗ１を、スロット番号「１」のスロットＳＬまで反時計回り方向に引き回す。そして、Ａフライヤーは、スロット番号「１」と「３」のスロットＳＬとの間おいて、引き回した第１導線Ｗ１を第１ティースＴ１の内側巻回部Ｔ１ｃに逆巻きにて巻回する。これによって、内側巻回部Ｔ１ｃには、集中巻きで逆巻きの第１巻線Ｃ１が巻回される。
【０１６２】
一方、図１２（ａ）に示すように、Ｂフライヤーは、第２２セグメントＳ２２のライザに引っ掛けた第２導線Ｗ２を、スロット番号「１３」のスロットＳＬまで反時計回り方向に引き回す。そして、Ｂフライヤーは、スロット番号「１３」と「１５」のスロットＳＬとの間おいて、引き回した第２導線Ｗ２を第７ティースＴ７の内側巻回部Ｔ７ｃに逆巻きにて巻回する。これによって、内側巻回部Ｔ７ｃには、集中巻きで逆巻きの第７巻線Ｃ７が巻回される。
【０１６３】
工程５（セグメント：Ｓ１７、Ｓ５）
図１２（ａ）に示すように、Ａフライヤーは、第１巻線Ｃ１を巻回した第１導線Ｗ１を、スロット番号「３」のスロットＳＬから第１７セグメントＳ１７まで反時計回り方向に引き回し、同第１７セグメントＳ１７のライザに引っ掛ける。
【０１６４】
一方、図１２（ａ）に示すように、Ｂフライヤーは、第７巻線Ｃ７を巻回した第２導線Ｗ２を、スロット番号「１５」のスロットＳＬから第５セグメントＳ５まで反時計回り方向に引き回し、同第５セグメントＳ５のライザに引っ掛ける。
【０１６５】
工程６（スロット：第５巻線Ｃ５、第１１巻線Ｃ１１）
図１２（ｂ）に示すように、Ａフライヤーは、第１７セグメントＳ１７のライザに引っ掛けた第１導線Ｗ１を、スロット番号「１１」のスロットＳＬまで反時計回り方向に引き回す。そして、Ａフライヤーは、スロット番号「１１」と「９」のスロットＳＬとの間おいて、引き回した第１導線Ｗ１を第５ティースＴ５の内側巻回部Ｔ５ｃに順巻きにて巻回する。これによって、内側巻回部Ｔ５ｃには、集中巻きで順巻きの第５巻線Ｃ５が巻回される。
【０１６６】
一方、図１２（ｂ）に示すように、Ｂフライヤーは、第５セグメントＳ５のライザに引っ掛けた第２導線Ｗ２を、スロット番号「２３」のスロットＳＬまで反時計回り方向に引き回す。そして、Ｂフライヤーは、スロット番号「２３」と「２１」のスロットＳＬとの間おいて、引き回した第２導線Ｗ２を第１１ティースＴ１１の内側巻回部Ｔ１１ｃに順巻きにて巻回する。これによって、内側巻回部Ｔ１１ｃには、集中巻きで順巻きの第１１巻線Ｃ１１が巻回される。
【０１６７】
工程７（セグメント：Ｓ２→Ｓ１８→Ｓ１０、Ｓ１４→Ｓ６→Ｓ２２）
図１２（ｂ）、図１３（ａ）に示すように、Ａフライヤーは、第５巻線Ｃ５を巻回した第１導線Ｗ１を、スロット番号「９」のスロットＳＬから第２セグメントＳ２まで反時計回り方向に引き回し、同第２セグメントＳ２のライザに引っ掛ける。続いて、Ａフライヤーは、第２セグメントＳ２のライザに引っ掛けた第１導線Ｗ１を、反時計回り方向に１２０°離間した第１８セグメントＳ１８まで反時計回り方向に引き回し同第１８セグメントＳ１８のライザに引っ掛ける。
【０１６８】
さらに、Ａフライヤーは、第１導線Ｗ１を第１８セグメントＳ１８から反時計回り方向に１２０°離間した第１０セグメントＳ１０まで反時計回り方向に引き回し同第１０セグメントＳ１０ライザに引っ掛け、掛け止めする。
【０１６９】
一方、図１２（ｂ）、図１３（ａ）に示すように、Ｂフライヤーは、第１１巻線Ｃ１１を巻回した第２導線Ｗ２を、スロット番号「２１」のスロットＳＬから第１４セグメントＳ１４まで反時計回り方向に引き回し、同第１４セグメントＳ１４のライザに引っ掛ける。続いて、Ｂフライヤーは、第１４セグメントＳ１４のライザに引っ掛けた第２導線Ｗ２を、反時計回り方向に１２０°離間した第６セグメントＳ６まで反時計回り方向に引き回し同第６セグメントＳ６のライザに引っ掛ける。
【０１７０】
さらに、Ｂフライヤーは、第２導線Ｗ２を第６セグメントＳ６から反時計回り方向に１２０°離間した第２２セグメントＳ２２まで反時計回り方向に引き回し同第２２セグメントＳ２２のライザに引っ掛け、掛け止めする。
【０１７１】
工程８（断線）
Ａフライヤーは、第１０セグメントＳ１０のライザに掛け止めした第１導線Ｗ１を切断（断線）する。
【０１７２】
Ｂフライヤーは、第２２セグメントＳ２２のライザに掛け止めした第２導線Ｗ２を切断（断線）する。
工程９（セグメント：Ｓ１１→Ｓ３→Ｓ１９、Ｓ２３→Ｓ１５→Ｓ７）
図１３（ｂ）に示すように、Ａフライヤーは、切断した第１導線Ｗ１を新たに第１１セグメントＳ１１のライザに掛け止めした後、反時計回り方向に１２０°離間した第３セグメントＳ３まで反時計回り方向に引き回し、同第３セグメントＳ３のライザに引っ掛ける。続いて、Ａフライヤーは、同第３セグメントＳ３のライザに引っ掛けた第１導線Ｗ１を、反時計回り方向に１２０°離間した第１９セグメントＳ１９まで反時計回り方向に引き回し同第１９セグメントＳ１９のライザに引っ掛ける。
【０１７３】
一方、図１３（ｂ）に示すように、Ｂフライヤーは、切断した第２導線Ｗ２を新たに第２３セグメントＳ２３のライザに掛け止めした後、反時計回り方向に１２０°離間した第１５セグメントＳ１５まで反時計回り方向に引き回し、同第１５セグメントＳ１５のライザに引っ掛ける。続いて、Ｂフライヤーは、同第１５セグメントＳ１５のライザに引っ掛けた第２導線Ｗ２を、反時計回り方向に１２０°離間した第７セグメントＳ７まで反時計回り方向に引き回し同第７セグメントＳ７のライザに引っ掛ける。
【０１７４】
工程１０（スロット：第６巻線Ｃ６、第１２巻線Ｃ１２）
図１４（ａ）に示すように、Ａフライヤーは、第１９セグメントＳ１９のライザに引っ掛けた第１導線Ｗ１を、スロット番号「１３」のスロットＳＬまで反時計回り方向に引き回す。そして、Ａフライヤーは、スロット番号「１３」と「１１」のスロットＳＬとの間おいて、その引き回した第１導線Ｗ１を第６ティースＴ６の内側巻回部Ｔ６ｃに順巻きにて巻回する。これによって、内側巻回部Ｔ６ｃには、集中巻きで順巻きの第６巻線Ｃ６が巻回される。
【０１７５】
一方、図１４（ａ）に示すように、Ｂフライヤーは、第７セグメントＳ７のライザに引っ掛けた第２導線Ｗ２を、スロット番号「１」のスロットＳＬまで反時計回り方向に引き回す。そして、Ｂフライヤーは、スロット番号「１」と「２３」のスロットＳＬとの間おいて、その引き回した第２導線Ｗ２を第１２ティースＴ１２の内側巻回部Ｔ１２ｃに順巻きにて巻回する。これによって、内側巻回部Ｔ１２ｃには、集中巻きで順巻きの第１２巻線Ｃ１２が巻回される。
【０１７６】
工程１１（セグメント：Ｓ４、Ｓ１６）
図１４（ａ）に示すように、Ａフライヤーは、第６巻線Ｃ６を巻回した第１導線Ｗ１を、スロット番号「１１」のスロットＳＬから第４セグメントＳ４まで反時計回り方向に引き回し、同第４セグメントＳ４のライザに引っ掛ける。
【０１７７】
一方、図１４（ａ）に示すように、Ｂフライヤーは、第１２巻線Ｃ１２を巻回した第２導線Ｗ２を、スロット番号「２３」のスロットＳＬから第１６セグメントＳ１６まで反時計回り方向に引き回し、同第１６セグメントＳ１６のライザに引っ掛ける。
【０１７８】
工程１２（スロット：第１０巻線Ｃ１０、第４巻線Ｃ４）
図１４（ｂ）に示すように、Ａフライヤーは、第４セグメントＳ４のライザに引っ掛けた第１導線Ｗ１を、スロット番号「１９」のスロットＳＬまで反時計回り方向に引き回す。そして、Ａフライヤーは、スロット番号「１９」と「２１」のスロットＳＬとの間おいて、その引き回した第１導線Ｗ１を第１０ティースＴ１０の内側巻回部Ｔ１０ｃに逆巻きにて巻回する。これによって、内側巻回部Ｔ１０ｃには、集中巻きで逆巻きの第１０巻線Ｃ１０が巻回される。
【０１７９】
一方、図１４（ｂ）に示すように、Ｂフライヤーは、第１６セグメントＳ１６のライザに引っ掛けた第２導線Ｗ２を、スロット番号「７」のスロットＳＬまで反時計回り方向に引き回す。そして、Ｂフライヤーは、スロット番号「７」と「９」のスロットＳＬとの間おいて、その引き回した第２導線Ｗ２を第４ティースＴ４の内側巻回部Ｔ４ｃに逆巻きにて巻回する。これによって、内側巻回部Ｔ４ｃには、集中巻きで第４巻線Ｃ４が巻回される。
【０１８０】
工程１３（セグメント：Ｓ１１、Ｓ２３）
図１４（ｂ）に示すように、Ａフライヤーは、第１０巻線Ｃ１０を巻回した第１導線Ｗ１を、スロット番号「２１」のスロットＳＬから第１１セグメントＳ１１まで反時計回り方向に引き回し、同第１１セグメントＳ１１のライザに引っ掛ける。
【０１８１】
一方、図１４（ｂ）に示すように、Ｂフライヤーは、第４巻線Ｃ４を巻回した第２導線Ｗ２を、スロット番号「９」のスロットＳＬから第２３セグメントＳ２３まで反時計回り方向に引き回し、同第２３セグメントＳ２３のライザに引っ掛ける。
【０１８２】
工程１４（スロット：第２巻線Ｃ２、第８巻線Ｃ８）
図１５（ａ）に示すように、Ａフライヤーは、第１１セグメントＳ１１のライザに引っ掛けた第１導線Ｗ１を、スロット番号「５」のスロットＳＬまで反時計回り方向に引き回し、スロット番号「５」と「３」のスロットＳＬとの間おいて、第２ティースＴ２の内側巻回部Ｔ２ｃに順巻きにて巻回する。これによって、内側巻回部Ｔ２ｃには、集中巻きで順巻きの第２巻線Ｃ２が巻回される。
【０１８３】
一方、図１５（ａ）に示すように、Ｂフライヤーは、第２３セグメントＳ２３のライザに引っ掛けた第２導線Ｗ２を、スロット番号「１７」のスロットＳＬまで反時計回り方向に引き回し、スロット番号「１７」と「１５」のスロットＳＬとの間おいて、第８ティースＴ８の内側巻回部Ｔ８ｃに順巻きにて巻回する。これによって、内側巻回部Ｔ８ｃには、集中巻きで順巻きの第８巻線Ｃ８が巻回される。
【０１８４】
この時点で、１２個全ての内側巻回部Ｔ１ｃ〜Ｔ１２ｃのそれぞれに集中巻線である第１〜第９巻線Ｃ１〜Ｃ１２が、ＡフライヤーとＢフライヤーにて巻回される。
工程１５（セグメント：Ｓ２０→Ｓ１２→Ｓ４、Ｓ８→Ｓ２４→Ｓ１６）
図１５（ａ）（ｂ）に示すように、Ａフライヤーは、第２巻線Ｃ２を巻回した第１導線Ｗ１を、スロット番号「３」のスロットＳＬから第２０セグメントＳ２０まで反時計回り方向に引き回し、同第２０セグメントＳ２０のライザに引っ掛ける。続いて、Ａフライヤーは、第２０セグメントＳ２０のライザに引っ掛けた第１導線Ｗ１を、反時計回り方向に１２０°離間した第１２セグメントＳ１２まで反時計回り方向に引き回し、同第１２セグメントＳ１２のライザに引っ掛ける。
【０１８５】
さらに、Ａフライヤーは、第１導線Ｗ１を第１２セグメントＳ１２から反時計回り方向に１２０°離間した第４セグメントＳ４まで反時計回り方向に引き回し、同第４セグメントＳ４のライザに引っ掛ける。
【０１８６】
一方、図１５（ａ）（ｂ）に示すように、Ｂフライヤーは、第８巻線Ｃ８を巻回した第２導線Ｗ２を、スロット番号「１５」のスロットＳＬから第８セグメントＳ８まで反時計回り方向に引き回し、同第８セグメントＳ８のライザに引っ掛ける。続いて、Ｂフライヤーは、第８セグメントＳ８のライザに引っ掛けた第２導線Ｗ２を、反時計回り方向に１２０°離間した第２４セグメントＳ２４まで反時計回り方向に引き回し、同第２４セグメントＳ２４のライザに引っ掛ける。
【０１８７】
さらに、Ｂフライヤーは、第２導線Ｗ２を第２４セグメントＳ２４から反時計回り方向に１２０°離間した第１６セグメントＳ１６まで反時計回り方向に引き回し、同第１６セグメントＳ１６のライザに引っ掛ける。
【０１８８】
工程１６（スロット：第２２巻線Ｃ２２、第１６巻線Ｃ１６）
図１６（ａ）に示すように、Ａフライヤーは、第４セグメントＳ４のライザに引っ掛けた第１導線Ｗ１を、スロット番号「２２」のスロットＳＬまで反時計回り方向に引き回す。そして、Ａフライヤーは、スロット番号「２２」と「２０」のスロットＳＬとの間おいて、即ち、第１１ティースＴ１１の第２分岐部Ｔ１１ｂ及び第１０ティースＴ１０の第１分岐部Ｔ１０ａ間に、その引き回した第１導線Ｗ１を順巻きにて巻回する。これによって、第２分岐部Ｔ１１ｂと第１分岐部Ｔ１０ａの間には、分布巻きで順巻きの第２２巻線Ｃ２２が巻回される。
【０１８９】
一方、図１６（ａ）に示すように、Ｂフライヤーは、第１６セグメントＳ１６のライザに引っ掛けた第２導線Ｗ２を、スロット番号「１０」のスロットＳＬまで反時計回り方向に引き回す。そして、Ｂフライヤーは、スロット番号「１０」と「８」のスロットＳＬとの間おいて、即ち、第５ティースＴ５の第２分岐部Ｔ５ｂ及び第４ティースＴ４の第１分岐部Ｔ４ａ間に、その引き回した第２導線Ｗ２を順巻きにて巻回する。これによって、第２分岐部Ｔ５ｂと第１分岐部Ｔ４ａの間には、分布巻きで順巻きの第１６巻線Ｃ１６が巻回される。
【０１９０】
工程１７（セグメント：Ｓ１３、Ｓ１）
図１６（ａ）に示すように、Ａフライヤーは、第２２巻線Ｃ２２を巻回した第１導線Ｗ１を、スロット番号「２０」のスロットＳＬから第１３セグメントＳ１３まで反時計回り方向に引き回し、同第１３セグメントＳ１３のライザに引っ掛ける。
【０１９１】
一方、図１６（ａ）に示すように、Ｂフライヤーは、第１６巻線Ｃ１６を巻回した第２導線Ｗ２を、スロット番号「８」のスロットＳＬから第１セグメントＳ１まで反時計回り方向に引き回し、同第１セグメントＳ１のライザに引っ掛ける。
【０１９２】
工程１８（スロット：第１４巻線Ｃ１４、第２０巻線Ｃ２０）
図１６（ｂ）に示すように、Ａフライヤーは、第１３セグメントＳ１３のライザに引っ掛けた第１導線Ｗ１を、スロット番号「４」のスロットＳＬまで反時計回り方向に引き回す。そして、Ａフライヤーは、スロット番号「４」と「６」のスロットＳＬとの間おいて、即ち、第３ティースＴ３の第２分岐部Ｔ３ｂ及び第２ティースＴ２の第１分岐部Ｔ２ａ間に、引き回した第１導線Ｗ１を逆巻きにて巻回する。これによって、第２分岐部Ｔ３ｂと第１分岐部Ｔ２ａの間には、分布巻きで逆巻きの第１４巻線Ｃ１４が巻回される。
【０１９３】
一方、図１６（ｂ）に示すように、Ｂフライヤーは、第１セグメントＳ１のライザに引っ掛けた第２導線Ｗ２を、スロット番号「１６」のスロットＳＬまで反時計回り方向に引き回す。そして、Ｂフライヤーは、スロット番号「１６」と「１８」のスロットＳＬとの間おいて、即ち、第９ティースＴ９の第２分岐部Ｔ９ｂ及び第８ティースＴ８の第１分岐部Ｔ８ａ間に、その引き回した第２導線Ｗ２を逆巻きにて巻回する。これによって、第２分岐部Ｔ９ｂと第１分岐部Ｔ８ａの間には、分布巻きで逆巻きの第２０巻線Ｃ２０が巻回される。
【０１９４】
工程１９（セグメント：Ｓ２０、Ｓ８）
図１６（ｂ）に示すように、Ａフライヤーは、第１４巻線Ｃ１４を巻回した第１導線Ｗ１を、スロット番号「６」のスロットＳＬから第２０セグメントＳ２０まで反時計回り方向に引き回し、同第２０セグメントＳ２０のライザに引っ掛ける。
【０１９５】
一方、図１６（ｂ）に示すように、Ｂフライヤーは、第２０巻線Ｃ２０を巻回した第２導線Ｗ２を、スロット番号「１８」のスロットＳＬから第８セグメントＳ８まで反時計回り方向に引き回し、同第８セグメントＳ８のライザに引っ掛ける。
【０１９６】
工程２０（スロット：第１８巻線Ｃ１８、第２４巻線Ｃ２４）
図１７（ａ）に示すように、Ａフライヤーは、第２０セグメントＳ２０のライザに引っ掛けた第１導線Ｗ１を、スロット番号「１４」のスロットＳＬまで反時計回り方向に引き回す。そして、Ａフライヤーは、スロット番号「１４」と「１２」のスロットＳＬとの間おいて、即ち、第７ティースＴ７の第２分岐部Ｔ７ｂ及び第６ティースＴ６の第１分岐部Ｔ６ａ間に、その引き回した第１導線Ｗ１を順巻きにて巻回する。これによって、第２分岐部Ｔ７ｂと第１分岐部Ｔ６ａの間には、分布巻きで順巻きの第１８巻線Ｃ１８が巻回される。
【０１９７】
一方、図１７（ａ）に示すように、Ｂフライヤーは、第８セグメントＳ８のライザに引っ掛けた第２導線Ｗ２を、スロット番号「２」のスロットＳＬまで反時計回り方向に引き回す。そして、Ｂフライヤーは、スロット番号「２」と「２４」のスロットＳＬとの間おいて、即ち、第１ティースＴ１の第２分岐部Ｔ１ｂ及び第１２ティースＴ１２の第１分岐部Ｔ１２ａ間に、その引き回した第２導線Ｗ２を順巻きにて巻回する。これによって、第２分岐部Ｔ１ｂと第１分岐部Ｔ１２ａの間には、分布巻きで順巻きの第２４巻線Ｃ２４が巻回される。
【０１９８】
工程２１（セグメント：Ｓ１２、Ｓ１７）
図１７（ａ）に示すように、Ａフライヤーは、第１８巻線Ｃ１８を巻回した第１導線Ｗ１を、スロット番号「１２」のスロットＳＬから第５セグメントＳ５まで反時計回り方向に引き回し、同第５セグメントＳ５のライザに引っ掛け、掛け止めする。
【０１９９】
一方、図１７（ａ）に示すように、Ｂフライヤーは、第２４巻線Ｃ２４を巻回した第２導線Ｗ２を、スロット番号「２４」のスロットＳＬから第１７セグメントＳ１７まで反時計回り方向に引き回し、同第１７セグメントＳ１７のライザに引っ掛け、掛け止めする。
【０２００】
工程２２（断線）
Ａフライヤーは、第５セグメントＳ５のライザに掛け止めした第１導線Ｗ１を切断（断線）する。
【０２０１】
Ｂフライヤーは、第１７セグメントＳ１７のライザに掛け止めした第２導線Ｗ２を切断（断線）する。
工程２３（セグメント：Ｓ６、Ｓ１８）
図１７（ｂ）に示すように、Ａフライヤーは、切断した第１導線Ｗ１を新たに第６セグメントＳ６のライザに掛け止めする。
【０２０２】
一方、図１７（ｂ）に示すように、Ｂフライヤーは、切断した第２導線Ｗ２を新たに第１８セグメントＳ１８のライザに掛け止めする。
工程２４（スロット：第２３巻線Ｃ２３、第１７巻線Ｃ１７）
図１７（ｂ）に示すように、Ａフライヤーは、第６セグメントＳ６のライザに掛け止めした第１導線Ｗ１を、スロット番号「２４」のスロットＳＬまで反時計回り方向に引き回す。そして、Ａフライヤーは、スロット番号「２４」と「２２」のスロットＳＬとの間おいて、即ち、第１２ティースＴ１２の第２分岐部Ｔ１２ｂ及び第１１ティースＴ１１の第１分岐部Ｔ１１ａ間に、その引き回した第１導線Ｗ１を順巻きにて巻回する。これによって、第２分岐部Ｔ１２ｂと第１分岐部Ｔ１１ａの間には、分布巻きで順巻きの第２３巻線Ｃ２３が巻回される。
【０２０３】
一方、図１７（ｂ）に示すように、Ｂフライヤーは、第１８セグメントＳ１８のライザに掛け止めした第２導線Ｗ２を、スロット番号「１２」のスロットＳＬまで反時計回り方向に引き回す。そして、Ｂフライヤーは、スロット番号「１２」と「１０」のスロットＳＬとの間おいて、即ち、第６ティースＴ６の第２分岐部Ｔ６ｂ及び第５ティースＴ５の第１分岐部Ｔ５ａ間に、その引き出した第２導線Ｗ２を順巻きにて巻回する。これによって、第２分岐部Ｔ６ｂと第１分岐部Ｔ５ａの間には、分布巻きで順巻きの第１７巻線Ｃ１７が巻回される。
【０２０４】
工程２５（セグメント：Ｓ１５、Ｓ３）
図１７（ｂ）に示すように、Ａフライヤーは、第２３巻線Ｃ２３を巻回した第１導線Ｗ１を、スロット番号「２２」のスロットＳＬから第１５セグメントＳ１５まで反時計回り方向に引き回し、同第１５セグメントＳ１５のライザに引っ掛ける。
【０２０５】
一方、図１７（ｂ）に示すように、Ｂフライヤーは、第１７巻線Ｃ１７を巻回した第２導線Ｗ２を、スロット番号「１０」のスロットＳＬから第３セグメントＳ３まで反時計回り方向に引き回し、同第３セグメントＳ３のライザに引っ掛ける。
【０２０６】
工程２６（スロット：第１５巻線Ｃ１５、第２１巻線Ｃ２１）
図１８（ａ）に示すように、Ａフライヤーは、第１５セグメントＳ１５のライザに引っ掛けた第１導線Ｗ１を、スロット番号「６」のスロットＳＬまで反時計回り方向に引き回す。そして、Ａフライヤーは、スロット番号「６」と「８」のスロットＳＬとの間おいて、即ち、第４ティースＴ４の第２分岐部Ｔ４ｂ及び第３ティースＴ３の第１分岐部Ｔ３ａ間に、その引き回した第１導線Ｗ１を逆巻きにて巻回する。これによって、第２分岐部Ｔ４ｂと第１分岐部Ｔ３ａの間に、分布巻きで逆巻きの第１５巻線Ｃ１５が巻回される。
【０２０７】
一方、図１８（ａ）に示すように、Ｂフライヤーは、第３セグメントＳ３のライザに引っ掛けた第２導線Ｗ２を、スロット番号「１８」のスロットＳＬまで反時計回り方向に引き回す。そして、Ｂフライヤーは、スロット番号「１８」と「２０」のスロットＳＬとの間おいて、即ち、第１０ティースＴ１０の第２分岐部Ｔ１０ｂ及び第９ティースＴ９の第１分岐部Ｔ９ａ間に、引き回した第２導線Ｗ２を順逆きにて巻回する。これによって、第２分岐部Ｔ１０ｂと第１分岐部Ｔ９ａの間には、分布巻きで逆巻きの第２１巻線Ｃ２１が巻回される。
【０２０８】
工程２７（セグメント：Ｓ２２、Ｓ１０）
図１８（ａ）に示すように、Ａフライヤーは、第１５巻線Ｃ１５を巻回した第１導線Ｗ１を、スロット番号「８」のスロットＳＬから第２２セグメントＳ２２まで反時計回り方向に引き回し、同第２２セグメントＳ２２のライザに引っ掛ける。
【０２０９】
一方、図１８（ａ）に示すように、Ｂフライヤーは、第２１巻線Ｃ２１を巻回した第２導線Ｗ２を、スロット番号「２０」のスロットＳＬから第１０セグメントＳ１０まで反時計回り方向に引き回し、同第１０セグメントＳ１０のライザに引っ掛ける。
【０２１０】
工程２８（スロット：第１９巻線Ｃ１９、第１３巻線Ｃ１３）
図１８（ｂ）に示すように、Ａフライヤーは、第２２セグメントＳ２２のライザに引っ掛けた第１導線Ｗ１を、スロット番号「１６」のスロットＳＬまで反時計回り方向に引き回す。そして、Ａフライヤーは、スロット番号「１６」と「１４」のスロットＳＬとの間おいて、即ち、第８ティースＴ８の第２分岐部Ｔ８ｂ及び第７ティースＴ７の第１分岐部Ｔ７ａ間に、その引き回した第１導線Ｗ１を順巻きにて巻回する。これによって、第２分岐部Ｔ８ｂと第１分岐部Ｔ７ａの間には、分布巻きで順巻きの第１９巻線Ｃ１９が巻回される。
【０２１１】
一方、図１８（ｂ）に示すように、Ｂフライヤーは、第１０セグメントＳ１０のライザに引っ掛けた第２導線Ｗ２を、スロット番号「４」のスロットＳＬまで反時計回り方向に引き回す。そして、Ｂフライヤーは、スロット番号「４」と「２」のスロットＳＬとの間おいて、即ち、第２ティースＴ２の第２分岐部Ｔ２ｂ及び第１ティースＴ１の第１分岐部Ｔ１ａ間に、引き回した第２導線Ｗ２を順巻きにて巻回する。これによって、第２分岐部Ｔ２ｂと第１分岐部Ｔ１ａの間には、分布巻きで順巻きの第１３巻線Ｃ１３が巻回される。
【０２１２】
工程２９（セグメント：Ｓ７、Ｓ２）
図１８（ｂ）に示すように、Ａフライヤーは、第１９巻線Ｃ１９を巻回した第１導線Ｗ１を、スロット番号「１４」のスロットＳＬから第７セグメントＳ７まで反時計回り方向に引き回し、同第７セグメントＳ７のライザに引っ掛けて掛け止める。
【０２１３】
一方、図１８（ｂ）に示すように、Ｂフライヤーは、第１３巻線Ｃ１３を巻回した第２導線Ｗ２を、スロット番号「２」のスロットＳＬから第１９セグメントＳ１９まで反時計回り方向に引き回し、同第１９セグメントＳ１９のライザに引っ掛けて掛け止める。
【０２１４】
これによって、ＡフライヤーとＢフライヤーからなるダブルフライヤー巻線機を使っての第１〜第２４巻線Ｃ１〜Ｃ２４の巻回作業は終了する。
次に、上記第２実施形態の作用を記載する。
【０２１５】
ＡフライヤーとＢフライヤーを備えたダブルフライヤー巻線機は、工程１〜工程２９において、第１実施形態と同様に、ＡフライヤーとＢフライヤーが１８０°対峙して結線・巻回作業を行う。そのため、結線・巻回作業途中で、ＡフライヤーとＢフライヤーが衝突することなく、それぞれ分担の結線・巻回作業が行われる。
【０２１６】
そして、互いに１８０°対峙して結線・巻回作業を行うＡフライヤーとＢフライヤーは、まず、内側に位置する第１〜第１２巻線Ｃ１〜Ｃ１２をそれぞれ分担して巻回する。その後に、ＡフライヤーとＢフライヤーは、外側に位置する第１３〜第２４巻線Ｃ１３〜Ｃ２４をそれぞれ分担して巻回する。
【０２１７】
そのため、外側に位置する第１３〜第２４巻線Ｃ１３〜Ｃ２４が先に巻回されてしまって、内側に位置する第１〜第１２巻線Ｃ１〜Ｃ１２が巻回不能になることはない。
また、第１実施形態と同様に、ＡフライヤーとＢフライヤーは、工程１〜工程２９において、それぞれの導線Ｗ１，Ｗ２を引き回すとき、反時計回り方向に導いて巻回・結線を行うようにした。これによって、導線Ｗ１，Ｗ２を引き回す方向は一方向（反時計回り方向）なり、単調な動作の繰り返しで結線・巻回作業が行われる。
【０２１８】
このとき、ＡフライヤーとＢフライヤーとが対峙して、１２個からなる集中巻の第１〜第１２巻線Ｃ１〜Ｃ１２を巻回する際、Ａフライヤーが６個、Ｂフライヤーが６個と等しく分担し巻回する。
【０２１９】
そして、Ａフライヤーが６個の巻線を集中巻で巻回するとき（Ｂフライヤーも同様）、まず、３個の巻線について、反時計回り方向に１２０°離間した位置に巻線を巻回した後に、残り３個の巻線について、反時計回り方向に１２０°離間した位置に巻線を巻回するようにした。
【０２２０】
詳述すると、Ａフライヤーは、第９巻線Ｃ９→第１巻線Ｃ１→第５巻線Ｃ５の順で３個の巻線を巻回した後、第６巻線Ｃ６→第１０巻線Ｃ１０→第２巻線Ｃ２の順で残る３個の巻線を巻回した。一方、Ｂフライヤーは、第３巻線Ｃ３→第７巻線Ｃ７→第１１巻線Ｃ１１の順で３個の巻線を巻回した後、第１２巻線Ｃ１２→第４巻線Ｃ４→第８巻線Ｃ８の順で残る３個の巻線を巻回した。
【０２２１】
しかも、反時計回り方向に１２０°離間した位置に３個の巻線を集中巻で巻回するとき、Ａフライヤーは（Ｂフライヤーも同様）、１番目の巻線を順巻き、２番目の巻線を逆巻き、３番目の巻線を順巻きとなるように巻回した。つまり、１２０°離間した位置で順巻き、逆巻き、順巻きとなる巻線を配置した。
【０２２２】
従って、ＡフライヤーとＢフライヤーは、それぞれ各巻線を集中巻で巻回するとき、常に巻回方向が同じとなり、ＡフライヤーとＢフライヤーは、対峙した位置で終始同じ動作を行う。その結果、ダブルフライヤー巻線機のＡフライヤーとＢフライヤーを互いに異なる向き動きをさせる必要がないことから、ダブルフライヤー巻線機による集中巻の巻回作業は、非常に簡単であって短時間作業となる。
【０２２３】
同様に、ＡフライヤーとＢフライヤーとが対峙して、１２個の分布巻の第１３〜第２４巻線Ｃ１３〜Ｃ２４を巻回する際、Ａフライヤーが６個、Ｂフライヤーが６個と等しく分担し巻回する。
【０２２４】
そして、Ａフライヤーが６個の巻線を分布巻で巻回するとき（Ｂフライヤーも同様）、まず、３個の巻線について、反時計回り方向に１２０°離間した位置に巻線を巻回した後に、残り３個の巻線について、反時計回り方向に１２０°離間した位置に巻線を巻回するようにした。
【０２２５】
詳述すると、Ａフライヤーは、第２２巻線Ｃ２２→第１４巻線Ｃ１４→第１８巻線Ｃ１８の順で３個の巻線を巻回した後、第２３巻線Ｃ２３→第１５巻線Ｃ１５→第１９巻線Ｃ１９の順で残る３個の巻線を巻回した。一方、Ｂフライヤーは、第１６巻線Ｃ１６→第２０巻線Ｃ２０→第２４巻線Ｃ２４の順で３個の巻線を巻回した後、第１７巻線Ｃ１７→第２１巻線Ｃ２１→第１３巻線Ｃ１３→の順で残る３個の巻線を巻回した。
【０２２６】
しかも、反時計回り方向に１２０°離間した位置に３個の巻線を分布巻で巻回するとき、Ａフライヤーは（Ｂフライヤーも同様）、１番目の巻線を順巻き、２番目の巻線を逆巻き、３番目の巻線を順巻きとなるように巻回した。つまり、１２０°離間した位置で順巻き、逆巻き、順巻きとなる巻線を配置した。
【０２２７】
従って、ＡフライヤーとＢフライヤーは、それぞれ各巻線を分布巻で巻回するとき、常に巻回方向が同じとなり、ＡフライヤーとＢフライヤーは、対峙した位置で終始同じ動作を行う。その結果、ダブルフライヤー巻線機のＡフライヤーとＢフライヤーを互いに異なる向き動きをさせる必要がないことから、ダブルフライヤー巻線機による分布巻の巻回作業は、非常に簡単であって短時間作業となる。
【０２２８】
次に、上記第２実施形態の効果を以下に記載する。
（１）本実施形態によれば、ダブルフライヤー巻線機を使い、そのダブルフライヤー巻線機のＡフライヤーとＢフライヤーがそれぞれ分担して、第１〜第２４巻線Ｃ２４を巻回するため、結線・巻回作業時間の短縮を図ることができる。
【０２２９】
（２）本実施形態によれば、集中巻線よりなる１２個の第１〜第１２巻線Ｃ１〜Ｃ１２を、１８０°対峙したＡフライヤーとＢフライヤーにてそれぞれ６個ずつ分担して巻回した。このとき、最初の３個を反時計回り方向に１２０°離間した位置にそれぞれ巻線を巻回した後に、残り３個を反時計回り方向に１２０°離間した位置に巻線を巻回した。従って、第１及び第２導線Ｗ１，Ｗ２の引き回し方向を終始同じ反時計回り方向になるため、単調な動作を繰り返しとなり結線・巻回作業時間がより短時間になる。
【０２３０】
（３）本実施形態によれば、分布巻線よりなる１２個の第１３〜第２４巻線Ｃ１３〜Ｃ２４を、１８０°対峙したＡフライヤーとＢフライヤーにてそれぞれ６個ずつ分担して巻回した。このとき、最初の３個を反時計回り方向に１２０°離間した位置にそれぞれ巻線を巻回した後に、残り３個を反時計回り方向に１２０°離間した位置に巻線を巻回した。従って、第１及び第２導線Ｗ１，Ｗ２の引き回し方向を終始同じ反時計回り方向になるため、単調な動作を繰り返しとなり結線・巻回作業時間がより短時間になる。
【０２３１】
（４）本実施形態によれば、ＡフライヤーとＢフライヤーは、それぞれ第１〜第１２巻線Ｃ１〜Ｃ１２を分担して集中巻で巻回するとき、常に巻回方向が同じとなり、ダブルフライヤー巻線機による、集中巻の巻回作業は、簡単で短時間に行われる。
【０２３２】
（５）本実施形態によれば、ＡフライヤーとＢフライヤーは、それぞれ第１３〜第２４巻線Ｃ１３〜Ｃ２４を分担して分布巻するとき、常に巻回方向が同じとなり、ダブルフライヤー巻線機による、集中巻の巻回作業は、簡単で短時間に行われる。
【０２３３】
上記実施の形態は、以下のように変更してもよい。
○上記第１実施形態では、１２個の集中巻線について、ＡフライヤーとＢフライヤーが６個ずつ分担し、それぞれ６個の集中巻線を巻回するとき、最初の３個について互いに１２０°離間した位置にそれぞれ集中巻線を巻回した後に、残り３個について互いに１２０°離間した位置に集中巻線を巻回した。そして、最初の３個及び残りの３個は、それら巻線位置に同一方向から導線が引き回されて巻回されるとともに、最初の３個及び残りの３個は、共に、順巻き、逆巻き、順巻きの順で巻回するようにした。
【０２３４】
また、１２個の分布巻線について、ＡフライヤーとＢフライヤーが６個ずつ分担し、それぞれ６個の分布巻線を巻回するとき、最初の３個について互いに１２０°離間した位置にそれぞれ分布巻線を巻回した後に、残り３個について互いに１２０°離間した位置に分布巻線を巻回した。そして、最初の３個及び残りの３個は、それら巻線位置に同一方向から導線が引き回されて巻回されるとともに、最初の３個及び残りの３個は、共に、順巻き、逆巻き、順巻きの順で巻回するようにした。
【０２３５】
これを、互いに１２０°離間した残り３個の分布巻線ついて、逆巻き、順巻き、順巻きの順番に変更して分布巻線を巻回して実施するようにしてもよい。
つまり、互いに１２０°離間した残り３個の分布巻線が、Ａフライヤーでは、第２３巻線Ｃ２３→第１５巻線Ｃ１５→第１９巻線Ｃ１９であり、Ｂフライヤーでは、第１７巻線Ｃ１７→第２１巻線Ｃ２１→第１３巻線Ｃ１３であるとする。
【０２３６】
そして、図１９に示すように、第２３巻線Ｃ２３及び第１７巻線Ｃ１７を逆巻き、第１５巻線Ｃ１５及び第２１巻線Ｃ２１を順巻き、第１９巻線Ｃ１９及び第１３巻線Ｃ１３を順巻きにして実施してもよい。
【０２３７】
○上記第２実施形態では、１２個の分布巻線について、ＡフライヤーとＢフライヤーがそれぞれ６個ずつ分担して巻回する。そして、ＡフライヤーとＢフライヤーが、それぞれ６個の分布巻線を巻回するとき、最初の３個について互いに１２０°離間した位置にそれぞれ分布巻線を巻回した後に、残り３個について互いに１２０°離間した位置に分布巻線を巻回する。そして、残り３個の分布巻線ついて、順巻き、逆巻き、順巻きの順番で分布巻線を巻回した。
【０２３８】
これを、残り３個の分布巻線ついて、逆巻き、順巻き、順巻きの順番に変更して分布巻線を巻回してもよい。
つまり、図２０に示すように、工程２４〜工程２９を変更して、第２３巻線Ｃ２３及び第１７巻線Ｃ１７を逆巻き、第１５巻線Ｃ１５及び第２１巻線Ｃ２１を順巻き、第１９巻線Ｃ１９及び第１３巻線Ｃ１３を順巻きで巻回するように実施してもよい。
【０２３９】
○上記実施形態では、集中巻線が巻回される各内側巻回部Ｔ１ｃ〜Ｔ１２ｃ間の各スロットＳＬの底部は、回転軸の中心軸からの近い位置にまで形成されている。
従って、各内側巻回部Ｔ１ｃ〜Ｔ１２ｃに巻回された集中巻線とその集中巻線と結線するセグメントのライザとを結ぶ部分の導線Ｗ１，Ｗ２、即ち、渡り線は、整流子５と電機子コア６間に形成された軸方向に長い空間を介在して引き回されていた。
【０２４０】
これを、図２１に示すように、各内側巻回部Ｔ１ｃ〜Ｔ１２ｃ間の各スロットＳＬの底部について、その底部の回転軸４の中心軸Ｏからの距離Ｄを長くする。そして、少なくとも順巻きの集中巻線と、その集中巻線と結線するセグメントのライザとを結ぶ部分（渡り線）の導線Ｗ１，Ｗ２が、前記整流子５の外径より径方向外側に位置するように実施してもよい。
【０２４１】
これによって、整流子５と電機子コア６間に形成される空間に介在する渡り線の本数を減らすことができ、軸方向に長い空間を短くでき電機子３全体の軸方向の長さを短くできる。
【０２４２】
○上記実施形態では、陽極側ブラシＢ１及び陰極側ブラシＢ２を、それぞれ１個ずつの直流モータ１に具体化したが、陽極側ブラシＢ１及び陰極側ブラシＢ２を、それぞれ複数個ずつ設けた直流モータに具体化してもよい。
【符号の説明】
【０２４３】
１…直流モータ、２…固定子、２ａ…ヨークハウジング、３…電機子、４…回転軸、５…整流子、５ａ…保持部材、６…電機子コア、７…コアバック、ＭＧ１…第１永久磁石、ＭＧ２…第２永久磁石、Ｓ…セグメント、Ｓ１〜Ｓ２４…第１〜第２４セグメント、Ｂ１…陽極側ブラシ、Ｂ２…陰極側ブラシ、ＳＬ…スロット、Ｔ…ティース、Ｔ１〜Ｔ１２…第１〜第１２ティース、Ｔａ，Ｔ１ａ〜Ｔ１２ａ…第１分岐部、Ｔｂ，Ｔ１ｂ〜Ｔ１２ｂ…第２分岐部、Ｔｃ，Ｔ１ｃ〜Ｔ１２ｃ…内側巻回部、Ｃ１〜Ｃ２４…第１〜第２４巻線、Ｗ１，Ｗ２…第１及び第２導線、Ｏ…中心軸、Ｄ…距離。
【図１】
2015042034.tif 000005
【図２】
2015042034.tif 000006
【図３】
2015042034.tif 000007
【図４】
2015042034.tif 000008
【図５】
2015042034.tif 000009
【図６】
2015042034.tif 000010
【図７】
2015042034.tif 000011
【図８】
2015042034.tif 000012
【図９】
2015042034.tif 000013
【図１０】
2015042034.tif 000014
【図１１】
2015042034.tif 000015
【図１２】
2015042034.tif 000016
【図１３】
2015042034.tif 000017
【図１４】
2015042034.tif 000018
【図１５】
2015042034.tif 000019
【図１６】
2015042034.tif 000020
【図１７】
2015042034.tif 000021
【図１８】
2015042034.tif 000022
【図１９】
2015042034.tif 000023
【図２０】
2015042034.tif 000024
【図２１】
2015042034.tif 000025